(57)【特許請求の範囲】
【請求項１】
ユーザ機器（ＵＥ）におけるワイヤレス通信の方法であって、
第１の送信時間間隔（ＴＴＩ）長さをもつ第１のキャリアと、前記第１のＴＴＩ長さとは異なる第２のＴＴＩ長さをもつ第２のキャリアと、電力制御構成とを備えるキャリアアグリゲーション構成を受信することと、
前記第１のＴＴＩ長さの第１のＴＴＩ中の前記第１のキャリアのための第１の送信電力レベルを選択することと、
前記第２のＴＴＩ長さの第２のＴＴＩ中の前記第２のキャリアのための第２の送信電力レベルを選択することと、ここにおいて、前記第１のＴＴＩが前記第２のＴＴＩと重複し、前記第２の送信電力レベルが前記電力制御構成と前記第１の送信電力レベルとに少なくとも部分的に基づく、
前記第１の送信電力レベルに少なくとも部分的に基づいて前記第１のキャリア上で送信することと、
前記第２の送信電力レベルに少なくとも部分的に基づいて前記第２のキャリア上で送信することと
を備える、方法。
【請求項２】
前記第１の送信電力レベルを選択することが、
前記電力制御構成に少なくとも部分的に基づいて前記第１のキャリアのための送信電力レベルを低減すること
を備える、請求項１に記載の方法。
【請求項３】
前記第２のキャリアのための予約された電力レベルを識別すること、ここにおいて、前記第１のキャリアのための前記送信電力レベルを低減することが、前記予約された電力レベルに少なくとも部分的に基づく、
をさらに備える、請求項２に記載の方法。
【請求項４】
前記第２の送信電力レベルが、前記第１のキャリアのための前記送信電力レベルを低減することによって利用可能にされた電力を利用することに少なくとも部分的に基づいて選択される、請求項３に記載の方法。
【請求項５】
前記第１のキャリアのための前記送信電力レベルを低減することは、
前記第１のＴＴＩの少なくとも１つの第２のシンボル期間中の前記第１のキャリアのための送信電力レベルとは異なる、前記第１のＴＴＩの少なくとも１つのシンボル期間中の前記第１のキャリアのための送信電力レベルを選択すること、ここにおいて、前記少なくとも１つのシンボル期間中の前記第１のキャリアのための前記送信電力レベルが、前記電力制御構成と、前記第２のＴＴＩ中の前記第２のキャリアのための前記送信電力レベルとに少なくとも部分的に基づく、
を備える、請求項２に記載の方法。
【請求項６】
送信における情報、情報レイヤ、信号タイプ、またはそれらの任意の組合せに少なくとも部分的に基づいて優先度付けルールのセットを識別すること、ここにおいて、前記電力制御構成が優先度付けルールの前記セットに少なくとも部分的に基づく、
をさらに備える、請求項１に記載の方法。
【請求項７】
優先度付けルールの前記セットが、１次セル（ＰＣｅｌｌ）に関してアップリンク制御情報（ＵＣＩ）を含んでいるシンボルに優先度付けするルール、物理アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、請求項６に記載の方法。
【請求項８】
前記第１のＴＴＩがロングタームエボリューション（ＬＴＥ）サブフレームであり、前記第２のＴＴＩがＬＴＥシンボル期間である、請求項１に記載の方法。
【請求項９】
前記電力制御構成が前記第２のキャリア上のトラフィックタイプまたはトラフィック量に少なくとも部分的に基づく、請求項１に記載の方法。
【請求項１０】
ワイヤレス通信のための装置であって、
第１の送信時間間隔（ＴＴＩ）長さをもつ第１のキャリアと、前記第１のＴＴＩ長さとは異なる第２のＴＴＩ長さをもつ第２のキャリアと、電力制御構成とを備えるキャリアアグリゲーション構成を決定するための手段と、
前記第１のＴＴＩ長さの第１のＴＴＩ中の前記第１のキャリアのための第１の送信電力レベルを選択するための手段と、
前記第２のＴＴＩ長さの第２のＴＴＩ中の前記第２のキャリアのための第２の送信電力レベルを選択するための手段と、ここにおいて、前記第１のＴＴＩが前記第２のＴＴＩと重複し、前記第２の送信電力レベルが前記電力制御構成と前記第１の送信電力レベルとに少なくとも部分的に基づく、
前記第１の送信電力レベルに少なくとも部分的に基づいて前記第１のキャリア上で送信するための手段と、
前記第２の送信電力レベルに少なくとも部分的に基づいて前記第２のキャリア上で送信するための手段と
を備える、装置。
【請求項１１】
前記第１の送信電力レベルを選択するための前記手段が、
前記電力制御構成に少なくとも部分的に基づいて前記第１のキャリアのための送信電力レベルを低減するための手段
を備える、請求項１０に記載の装置。
【請求項１２】
前記第２のキャリアのための予約された電力レベルを識別するための手段、ここにおいて、前記第１のキャリアのための前記送信電力レベルを低減するための前記手段が、前記予約された電力レベルに少なくとも部分的に基づいて前記第１のキャリアのための前記送信電力レベルを低減するように動作可能である、
をさらに備える、請求項１１に記載の装置。
【請求項１３】
前記第２の送信電力レベルが、前記第１のキャリアのための前記送信電力レベルを低減することによって利用可能にされた電力を利用することに少なくとも部分的に基づいて選択される、請求項１２に記載の装置。
【請求項１４】
前記第１のキャリアのための前記送信電力レベルを低減するための手段は、
前記第１のＴＴＩの少なくとも１つの第２のシンボル期間中の前記第１のキャリアのための送信電力レベルとは異なる、前記第１のＴＴＩの少なくとも１つのシンボル期間中の前記第１のキャリアのための送信電力レベルを選択するための手段、ここにおいて、前記少なくとも１つのシンボル期間中の前記第１のキャリアのための前記送信電力レベルが、前記電力制御構成と、前記第２のＴＴＩ中の前記第２のキャリアのための前記送信電力レベルとに少なくとも部分的に基づく、
を備える、請求項１１に記載の装置。
【請求項１５】
送信における情報、情報レイヤ、信号タイプ、またはそれらの任意の組合せに少なくとも部分的に基づいて優先度付けルールのセットを識別するための手段、ここにおいて、前記電力制御構成が優先度付けルールの前記セットに少なくとも部分的に基づく、
をさらに備える、請求項１０に記載の装置。
【請求項１６】
優先度付けルールの前記セットが、１次セル（ＰＣｅｌｌ）に関してアップリンク制御情報（ＵＣＩ）を含んでいるシンボルに優先度付けするルール、物理アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、請求項１５に記載の装置。
【請求項１７】
前記第１のＴＴＩがロングタームエボリューション（ＬＴＥ）サブフレームであり、前記第２のＴＴＩがＬＴＥシンボル期間である、請求項１０に記載の装置。
【請求項１８】
前記電力制御構成が前記第２のキャリア上のトラフィックタイプまたはトラフィック量に少なくとも部分的に基づく、請求項１０に記載の装置。
【請求項１９】
ワイヤレス通信のための装置であって、
プロセッサと、
前記プロセッサと電子通信しているメモリと、
前記メモリに記憶された命令とを備え、前記命令は、前記プロセッサによって実行されたとき、
第１の送信時間間隔（ＴＴＩ）長さをもつ第１のキャリアと、前記第１のＴＴＩ長さとは異なる第２のＴＴＩ長さをもつ第２のキャリアと、電力制御構成とを備えるキャリアアグリゲーション構成を受信することと、
前記第１のＴＴＩ長さの第１のＴＴＩ中の前記第１のキャリアのための第１の送信電力レベルを選択することと、
前記第２のＴＴＩ長さの第２のＴＴＩ中の前記第２のキャリアのための第２の送信電力レベルを選択することと、ここにおいて、前記第１のＴＴＩが前記第２のＴＴＩと重複し、前記第２の送信電力レベルが前記電力制御構成と前記第１の送信電力レベルとに少なくとも部分的に基づく、
前記第１の送信電力レベルに少なくとも部分的に基づいて前記第１のキャリア上で送信することと、
前記第２の送信電力レベルに少なくとも部分的に基づいて前記第２のキャリア上で送信することと
を前記装置に行わせるように動作可能である、装置。
【請求項２０】
前記命令が、
前記電力制御構成に少なくとも部分的に基づいて前記第１のキャリアのための送信電力レベルを低減すること
を前記装置に行わせるように動作可能である、請求項１９に記載の装置。
【請求項２１】
前記命令は、
前記第２のキャリアのための予約された電力レベルを識別すること、ここにおいて、前記第１のキャリアのための前記送信電力レベルを低減することが、前記予約された電力レベルに少なくとも部分的に基づく、
を前記装置に行わせるように動作可能である、請求項２０に記載の装置。
【請求項２２】
前記第２の送信電力レベルが、前記第１のキャリアのための前記送信電力レベルを低減することによって利用可能にされた電力を利用することに少なくとも部分的に基づいて選択される、請求項２１に記載の装置。
【請求項２３】
前記命令は、
前記第１のＴＴＩの少なくとも１つの第２のシンボル期間中の前記第１のキャリアのための送信電力レベルとは異なる、前記第１のＴＴＩの少なくとも１つのシンボル期間中の前記第１のキャリアのための送信電力レベルを選択すること、ここにおいて、前記少なくとも１つのシンボル期間中の前記第１のキャリアのための前記送信電力レベルが、前記電力制御構成と、前記第２のＴＴＩ中の前記第２のキャリアのための前記送信電力レベルとに少なくとも部分的に基づく、
を前記装置に行わせるように動作可能である、請求項２０に記載の装置。
【請求項２４】
前記命令は、
送信における情報、情報レイヤ、信号タイプ、またはそれらの任意の組合せに少なくとも部分的に基づいて優先度付けルールのセットを識別すること、ここにおいて、前記電力制御構成が優先度付けルールの前記セットに少なくとも部分的に基づく、
を前記装置に行わせるように動作可能である、請求項１９に記載の装置。
【請求項２５】
優先度付けルールの前記セットが、１次セル（ＰＣｅｌｌ）に関してアップリンク制御情報（ＵＣＩ）を含んでいるシンボルに優先度付けするルール、物理アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、請求項２４に記載の装置。
【請求項２６】
前記第１のＴＴＩがロングタームエボリューション（ＬＴＥ）サブフレームであり、前記第２のＴＴＩがＬＴＥシンボル期間である、請求項１９に記載の装置。
【請求項２７】
前記電力制御構成が前記第２のキャリア上のトラフィックタイプまたはトラフィック量に少なくとも部分的に基づく、請求項１９に記載の装置。
【請求項２８】
ワイヤレス通信のためのコードを記憶した非一時的コンピュータ可読媒体であって、前記コードは、
第１の送信時間間隔（ＴＴＩ）長さをもつ第１のキャリアと、前記第１のＴＴＩ長さとは異なる第２のＴＴＩ長さをもつ第２のキャリアと、電力制御構成とを備えるキャリアアグリゲーション構成を決定することと、
前記第１のＴＴＩ長さの第１のＴＴＩ中の前記第１のキャリアのための第１の送信電力レベルを選択することと、
前記第２のＴＴＩ長さの第２のＴＴＩ中の前記第２のキャリアのための第２の送信電力レベルを選択することと、ここにおいて、前記第１のＴＴＩが前記第２のＴＴＩと重複し、前記第２の送信電力レベルが前記電力制御構成と前記第１の送信電力レベルとに少なくとも部分的に基づく、
前記第１の送信電力レベルに少なくとも部分的に基づいて前記第１のキャリア上で送信することと、
前記第２の送信電力レベルに少なくとも部分的に基づいて前記第２のキャリア上で送信することと
を行うように実行可能な命令を備える、非一時的コンピュータ可読媒体。
【請求項２９】
前記命令が、
前記電力制御構成に少なくとも部分的に基づいて前記第１のキャリアのための送信電力レベルを低減する
ように実行可能である、請求項２８に記載の非一時的コンピュータ可読媒体。
【請求項３０】
前記命令は、
前記第２のキャリアのための予約された電力レベルを識別すること、ここにおいて、前記第１のキャリアのための前記送信電力レベルを低減することが、前記予約された電力レベルに少なくとも部分的に基づく、
を行うように実行可能である、請求項２９に記載の非一時的コンピュータ可読媒体。
【請求項３１】
前記第２の送信電力レベルが、前記第１のキャリアのための前記送信電力レベルを低減することによって利用可能にされた電力を利用することに少なくとも部分的に基づいて選択される、請求項３０に記載の非一時的コンピュータ可読媒体。
【請求項３２】
前記命令は、
前記第１のＴＴＩの少なくとも１つの第２のシンボル期間中の前記第１のキャリアのための送信電力レベルとは異なる、前記第１のＴＴＩの少なくとも１つのシンボル期間中の前記第１のキャリアのための送信電力レベルを選択すること、ここにおいて、前記少なくとも１つのシンボル期間中の前記第１のキャリアのための前記送信電力レベルが、前記電力制御構成と、前記第２のＴＴＩ中の前記第２のキャリアのための前記送信電力レベルとに少なくとも部分的に基づく、
を行うように実行可能である、請求項２９に記載の非一時的コンピュータ可読媒体。
【請求項３３】
前記命令は、
送信における情報、情報レイヤ、信号タイプ、またはそれらの任意の組合せに少なくとも部分的に基づいて優先度付けルールのセットを識別すること、ここにおいて、前記電力制御構成が優先度付けルールの前記セットに少なくとも部分的に基づく、
を行うように実行可能である、請求項２８に記載の非一時的コンピュータ可読媒体。
【請求項３４】
優先度付けルールの前記セットが、１次セル（ＰＣｅｌｌ）に関してアップリンク制御情報（ＵＣＩ）を含んでいるシンボルに優先度付けするルール、物理アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、請求項３３に記載の非一時的コンピュータ可読媒体。
【請求項３５】
前記第１のＴＴＩがロングタームエボリューション（ＬＴＥ）サブフレームであり、前記第２のＴＴＩがＬＴＥシンボル期間である、請求項２８に記載の非一時的コンピュータ可読媒体。
【請求項３６】
前記電力制御構成が前記第２のキャリア上のトラフィックタイプまたはトラフィック量に少なくとも部分的に基づく、請求項２８に記載の非一時的コンピュータ可読媒体。
【発明の詳細な説明】
【技術分野】
【０００１】
相互参照
[0001]本特許出願は、各々が本出願の譲受人に譲渡された、２０１６年２月１７日に出願された、Ｖａｊａｐｅｙａｍらによる米国特許出願第１５／０４５，６０３号、「Ｐｏｗｅｒ  Ｃｏｎｔｒｏｌ  ａｎｄ  Ｐｏｗｅｒ  Ｈｅａｄｒｏｏｍ  ｆｏｒ  Ｃｏｍｐｏｎｅｎｔ  Ｃａｒｒｉｅｒ」、および２０１５年２月２７日に出願された、「Ｐｏｗｅｒ  Ｃｏｎｔｒｏｌ  ａｎｄ  Ｐｏｗｅｒ  Ｈｅａｄｒｏｏｍ  ｆｏｒ  ＥＣＣ」と題するＶａｊａｐｅｙａｍらによる米国仮特許出願第６２／１２１，９４２号の優先権を主張する。
【背景技術】
【０００２】
[0002]以下は、一般にワイヤレス通信に関し、より詳細には、拡張コンポーネントキャリア（ｅＣＣ：enhanced component carrier）のための電力制御および電力ヘッドルーム（power headroom）に関する。ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られ得る、複数の通信デバイスのための通信をそれぞれ同時にサポートする、いくつかの基地局を含み得る。
[0003]いくつかのワイヤレス通信システムでは、ワイヤレス通信デバイスは、異なるタイミング構成に関連するキャリアを使用して基地局と通信し得る。たとえば、アップリンク送信は非同期であり得る。デバイスは、各キャリアの送信電力を示す基地局からの電力制御情報を受信し得、それに応じて送信電力割振りを調整し得る。場合によっては、基地局からの制御情報は、キャリアのすべてがスケジュールされる前に到着し得る。デバイスは、したがって、古いアップリンクスケジュールに関連付けられた情報に従って電力を割り振ることがあり、それにより非効率的な電力送信レベルが生じ得る。
【発明の概要】
【０００３】
[0004]ユーザ機器（ＵＥ）が、異なる送信時間間隔（ＴＴＩ：transmission time interval）構成をそれぞれ有し得る異なるコンポーネントキャリア（ＣＣ：component carrier）にわたって総電力利用を協調させ得る。ＵＥは、基地局から送信電力情報を受信し得、それに応じて電力割振りを決定し得る。いくつかの例では、ＵＥは、低減されたＴＴＩ長さをもつＣＣ（たとえば、拡張ＣＣ（ｅＣＣ））のために総送信電力の一部分を予約し得る。他の例では、ＵＥは、重複するアップリンク期間に基づいてＣＣの間で送信電力を動的に割り振り得る。たとえば、ＵＥは、あるＣＣとｅＣＣの両方が送信しているとき、ｅＣＣのために使用するためにそのＣＣから送信電力を借用（たとえば、再割り振り）し得る。ＵＥは、各ＣＣの送信電力を決定するために優先度付け方式を使用し得る。場合によっては、ＵＥは、ｅＣＣの電力レベルに基づいて基地局に電力ヘッドルーム報告を送り得る。電力ヘッドルームは、予測されたｅＣＣ送信電力に基づく仮想電力ヘッドルーム、または受信されたスケジューリング許可に基づく実際の電力ヘッドルームであり得る。
【０００４】
[0005]ワイヤレス通信の方法について説明する。本方法は、第１のＴＴＩ長さをもつ第１のキャリアと、第１のＴＴＩ長さとは異なる第２のＴＴＩ長さをもつ第２のキャリアと、電力制御構成とを備えるキャリアアグリゲーション（carrier aggregation）構成を受信することと、第１のＴＴＩ長さの第１のＴＴＩ中の第１のキャリアのための第１の送信電力レベルを選択することと、第２のＴＴＩ長さの第２のＴＴＩ中の第２のキャリアのための第２の送信電力レベルを選択することと、ここにおいて、第１のＴＴＩが第２のＴＴＩと重複し、第２の送信電力レベルが電力制御構成と第１の送信電力レベルとに少なくとも部分的に基づく、第１の送信電力レベルに少なくとも部分的に基づいて第１のキャリア上で送信することと、第２の送信電力レベルに少なくとも部分的に基づいて第２のキャリア上で送信することとを含み得る。
【０００５】
[0006]ワイヤレス通信のための装置について説明する。本装置は、第１のＴＴＩ長さをもつ第１のキャリアと、第１のＴＴＩ長さとは異なる第２のＴＴＩ長さをもつ第２のキャリアと、電力制御構成とを備えるキャリアアグリゲーション構成を受信するための手段と、第１のＴＴＩ長さの第１のＴＴＩ中の第１のキャリアのための第１の送信電力レベルを選択するための手段と、第２のＴＴＩ長さの第２のＴＴＩ中の第２のキャリアのための第２の送信電力レベルを選択するための手段と、ここにおいて、第１のＴＴＩが第２のＴＴＩと重複し、第２の送信電力レベルが電力制御構成と第１の送信電力レベルとに少なくとも部分的に基づく、第１の送信電力レベルに少なくとも部分的に基づいて第１のキャリア上で送信するための手段と、第２の送信電力レベルに少なくとも部分的に基づいて第２のキャリア上で送信するための手段とを含み得る。
【０００６】
[0007]さらなる装置について説明する。本装置は、プロセッサと、プロセッサと電子通信しているメモリと、メモリに記憶された命令とを含み得る。命令は、第１のＴＴＩ長さをもつ第１のキャリアと、第１のＴＴＩ長さとは異なる第２のＴＴＩ長さをもつ第２のキャリアと、電力制御構成とを備えるキャリアアグリゲーション構成を受信することと、第１のＴＴＩ長さの第１のＴＴＩ中の第１のキャリアのための第１の送信電力レベルを選択することと、第２のＴＴＩ長さの第２のＴＴＩ中の第２のキャリアのための第２の送信電力レベルを選択することと、ここにおいて、第１のＴＴＩが第２のＴＴＩと重複し、第２の送信電力レベルが電力制御構成と第１の送信電力レベルとに少なくとも部分的に基づく、第１の送信電力レベルに少なくとも部分的に基づいて第１のキャリア上で送信することと、第２の送信電力レベルに少なくとも部分的に基づいて第２のキャリア上で送信することとをプロセッサに行わせるように動作可能であり得る。
【０００７】
[0008]ワイヤレス通信のための非一時的コンピュータ可読媒体について説明する。非一時的コンピュータ可読媒体は、第１のＴＴＩ長さをもつ第１のキャリアと、第１のＴＴＩ長さとは異なる第２のＴＴＩ長さをもつ第２のキャリアと、電力制御構成とを備えるキャリアアグリゲーション構成を受信することと、第１のＴＴＩ長さの第１のＴＴＩ中の第１のキャリアのための第１の送信電力レベルを選択することと、第２のＴＴＩ長さの第２のＴＴＩ中の第２のキャリアのための第２の送信電力レベルを選択することと、ここで、第１のＴＴＩが第２のＴＴＩと重複し、第２の送信電力レベルが電力制御構成と第１の送信電力レベルとに基づく、第１の送信電力レベルに基づいて第１のキャリア上で送信することと、第２の送信電力レベルに基づいて第２のキャリア上で送信することとをプロセッサに行わせるための命令を含み得る。
【０００８】
[0009]上記で説明した方法、装置、または非一時的コンピュータ可読媒体のいくつかの例では、第１の送信電力レベルを選択することは、電力制御構成に基づいて第１のキャリアのための送信電力レベルを低減することを備える。
【０００９】
[0010]上記で説明した方法、装置、または非一時的コンピュータ可読媒体のいくつかの例は、第２のキャリアのための予約された電力レベルを識別するためのプロセス、特徴、手段、または命令をさらに含み得、ここで、第１のキャリアのための送信電力レベルを低減することは、予約された電力レベルに基づく。
【００１０】
[0011]上記で説明した方法、装置、または非一時的コンピュータ可読媒体のいくつかの例では、第２の送信電力レベルは、第１のキャリアのための送信電力レベルを低減することによって利用可能にされた電力を利用することに基づいて選択される。
【００１１】
[0012]上記で説明した方法、装置、または非一時的コンピュータ可読媒体のいくつかの例では、第１のキャリアのための送信電力レベルを低減することは、第１のＴＴＩの少なくとも１つの第２のシンボル期間中の第１のキャリアのための送信電力レベルとは異なる、第１のＴＴＩの少なくとも１つのシンボル期間中の第１のキャリアのための送信電力レベルを選択することを備え、ここで、少なくとも１つのシンボル期間中の第１のキャリアのための送信電力レベルは、電力制御構成と、第２のＴＴＩ中の第２のキャリアのための送信電力レベルとに基づく。
【００１２】
[0013]上記で説明した方法、装置、または非一時的コンピュータ可読媒体のいくつかの例は、送信における情報、情報レイヤ（information layer）、信号タイプ、またはそれらの任意の組合せに基づいて優先度付けルールのセットを識別するためのプロセス、特徴、手段または命令をさらに含み得、ここで、電力制御構成は優先度付けルールのセットに基づく。
【００１３】
[0014]上記で説明した方法、装置、または非一時的コンピュータ可読媒体のいくつかの例では、優先度付けルールのセットは、１次セル（ＰＣｅｌｌ：primary cell）に関してアップリンク制御情報（ＵＣＩ：uplink control information）を含んでいるシンボルに優先度付けするルール、物理アップリンク共有チャネル（ＰＵＳＣＨ：physical uplink shared channel）拡張コンポーネントキャリア（ｅＣＣ）シンボルよりもＰＣｅｌｌ復調基準信号（ＤＭ−ＲＳ：demodulation reference signal）送信に優先度付けするルール、またはＰＣｅｌｌサウンディング基準信号（ＳＲＳ：sounding reference signal）送信よりもｅＣＣ  ＰＵＳＣＨシンボルに優先度付けするルールを備える。
【００１４】
[0015]上記で説明した方法、装置、または非一時的コンピュータ可読媒体のいくつかの例では、第１のＴＴＩはロングタームエボリューション（ＬＴＥ）サブフレームであり、第２のＴＴＩはＬＴＥシンボル期間である。
【００１５】
[0016]上記で説明した方法、装置、または非一時的コンピュータ可読媒体のいくつかの例では、電力制御構成は第２のキャリア上のトラフィックタイプまたはトラフィック量に基づく。
【００１６】
[0017]ワイヤレス通信の方法について説明する。本方法は、第１のＴＴＩ長さをもつ第１のキャリアと、第１のＴＴＩ長さとは異なる第２のＴＴＩ長さをもつ第２のキャリアと、電力ヘッドルーム報告構成とを備えるキャリアアグリゲーション構成を受信することと、第２のキャリアのための電力レベルを識別することと、識別された電力レベルと電力ヘッドルーム報告構成とに少なくとも部分的に基づいて第２のキャリアのための電力ヘッドルーム報告を送信することとを含み得る。
【００１７】
[0018]ワイヤレス通信のための装置について説明する。本装置は、第１のＴＴＩ長さをもつ第１のキャリアと、第１のＴＴＩ長さとは異なる第２のＴＴＩ長さをもつ第２のキャリアと、電力ヘッドルーム報告構成とを備えるキャリアアグリゲーション構成を受信するための手段と、第２のキャリアのための電力レベルを識別するための手段と、識別された電力レベルと電力ヘッドルーム報告構成とに少なくとも部分的に基づいて第２のキャリアのための電力ヘッドルーム報告を送信するための手段とを含み得る。
【００１８】
[0019]さらなる装置について説明する。本装置は、プロセッサと、プロセッサと電子通信しているメモリと、メモリに記憶された命令とを含み得る。命令は、第１のＴＴＩ長さをもつ第１のキャリアと、第１のＴＴＩ長さとは異なる第２のＴＴＩ長さをもつ第２のキャリアと、電力ヘッドルーム報告構成とを備えるキャリアアグリゲーション構成を受信することと、第２のキャリアのための電力レベルを識別することと、識別された電力レベルと電力ヘッドルーム報告構成とに少なくとも部分的に基づいて第２のキャリアのための電力ヘッドルーム報告を送信することとをプロセッサに行わせるように動作可能であり得る。
【００１９】
[0020]ワイヤレス通信のための非一時的コンピュータ可読媒体について説明する。非一時的コンピュータ可読媒体は、第１のＴＴＩ長さをもつ第１のキャリアと、第１のＴＴＩ長さとは異なる第２のＴＴＩ長さをもつ第２のキャリアと、電力ヘッドルーム報告構成とを備えるキャリアアグリゲーション構成を受信することと、第２のキャリアのための電力レベルを識別することと、識別された電力レベルと電力ヘッドルーム報告構成とに基づいて第２のキャリアのための電力ヘッドルーム報告を送信することとをプロセッサに行わせるための命令を含み得る。
【００２０】
[0021]上記で説明した方法、装置、または非一時的コンピュータ可読媒体のいくつかの例では、識別された電力レベルは仮想電力レベルである。
【００２１】
[0022]上記で説明した方法、装置、または非一時的コンピュータ可読媒体のいくつかの例では、識別された電力レベルは第２のキャリアのためのアップリンク（ＵＬ）許可に基づく。
【００２２】
[0023]上記で説明した方法、装置、または非一時的コンピュータ可読媒体のいくつかの例は、電力ヘッドルーム報告構成の電力ヘッドルームフォーマットのセットから電力ヘッドルーム報告フォーマットを選択するためのプロセス、特徴、手段、または命令をさらに含み得、ここで、電力ヘッドルーム報告を送信することは、選択された電力ヘッドルームフォーマットに基づく。
【００２３】
[0024]上記で説明した方法、装置、または非一時的コンピュータ可読媒体のいくつかの例では、電力ヘッドルームフォーマットのセットは、仮想電力レベルに基づく少なくとも１つの第１のフォーマットと、ＵＬ許可に基づく少なくとも１つの第２のフォーマットとを備える。
【００２４】
[0025]ワイヤレス通信の方法について説明する。本方法は、第１のＴＴＩ長さをもつ第１のキャリアと、第１のＴＴＩ長さとは異なる第２のＴＴＩ長さをもつ第２のキャリアとを備えるワイヤレスデバイスのためのキャリアアグリゲーション構成を決定することと、第１のキャリアと第２のキャリアとに少なくとも部分的に基づいてワイヤレスデバイスのための電力制御構成を決定することと、送信における情報、情報レイヤ、信号タイプ、またはそれらの任意の組合せに少なくとも部分的に基づいて優先度付けルールのセットを決定することと、ここにおいて、電力制御構成を決定することが、優先度付けルールのセットに少なくとも部分的に基づく、優先度付けルールのセットに少なくとも部分的に基づいてワイヤレスデバイスのための送信をスケジュールすることとを含み得る。
【００２５】
[0026]ワイヤレス通信のための装置について説明する。本装置は、第１のＴＴＩ長さをもつ第１のキャリアと、第１のＴＴＩ長さとは異なる第２のＴＴＩ長さをもつ第２のキャリアとを備えるワイヤレスデバイスのためのキャリアアグリゲーション構成を決定するための手段と、第１のキャリアと第２のキャリアとに少なくとも部分的に基づいてワイヤレスデバイスのための電力制御構成を決定するための手段と、送信における情報、情報レイヤ、信号タイプ、またはそれらの任意の組合せに少なくとも部分的に基づいて優先度付けルールのセットを決定するための手段と、ここにおいて、電力制御構成を決定することが、優先度付けルールのセットに少なくとも部分的に基づく、優先度付けルールのセットに少なくとも部分的に基づいてワイヤレスデバイスのための送信をスケジュールするための手段とを含み得る。
【００２６】
[0027]さらなる装置について説明する。本装置は、プロセッサと、プロセッサと電子通信しているメモリと、メモリに記憶された命令とを含み得る。命令は、第１のＴＴＩ長さをもつ第１のキャリアと、第１のＴＴＩ長さとは異なる第２のＴＴＩ長さをもつ第２のキャリアとを備えるワイヤレスデバイスのためのキャリアアグリゲーション構成を決定することと、第１のキャリアと第２のキャリアとに少なくとも部分的に基づいてワイヤレスデバイスのための電力制御構成を決定することと、送信における情報、情報レイヤ、信号タイプ、またはそれらの任意の組合せに少なくとも部分的に基づいて優先度付けルールのセットを決定することと、ここにおいて、電力制御構成を決定することが、優先度付けルールのセットに少なくとも部分的に基づく、優先度付けルールのセットに少なくとも部分的に基づいてワイヤレスデバイスのための送信をスケジュールすることとをプロセッサに行わせるように動作可能であり得る。
【００２７】
[0028]ワイヤレス通信のための非一時的コンピュータ可読媒体について説明する。非一時的コンピュータ可読媒体は、第１のＴＴＩ長さをもつ第１のキャリアと、第１のＴＴＩ長さとは異なる第２のＴＴＩ長さをもつ第２のキャリアとを備えるワイヤレスデバイスのためのキャリアアグリゲーション構成を決定することと、第１のキャリアと第２のキャリアとに基づいてワイヤレスデバイスのための電力制御構成を決定することと、送信における情報、情報レイヤ、信号タイプ、またはそれらの任意の組合せに基づいて優先度付けルールのセットを決定することと、ここで、電力制御構成を決定することが、優先度付けルールのセットに基づく、優先度付けルールのセットに基づいてワイヤレスデバイスのための送信をスケジュールすることとをプロセッサに行わせるための命令を含み得る。
【００２８】
[0029]上記で説明した方法、装置、または非一時的コンピュータ可読媒体のいくつかの例では、優先度付けルールのセットは、ＰＣｅｌｌに関してＵＣＩを含んでいるシンボルに優先度付けするルール、ＰＵＳＣＨ  ｅＣＣシンボルよりもＰＣｅｌｌ  ＤＭ−ＲＳ送信に優先度付けするルール、またはＰＣｅｌｌ  ＳＲＳ送信よりもｅＣＣ  ＰＵＳＣＨシンボルに優先度付けするルールを備える。
【００２９】
[0030]上記で説明した方法、装置、または非一時的コンピュータ可読媒体のいくつかの例では、電力制御構成は第２のキャリア上のトラフィックタイプまたはトラフィック量に基づく。
【００３０】
[0031]ワイヤレス通信の方法について説明する。本方法は、第１のＴＴＩ長さをもつ第１のキャリアと、第１のＴＴＩ長さとは異なる第２のＴＴＩ長さをもつ第２のキャリアとを備えるキャリアアグリゲーション構成を決定することと、仮想電力レベルに少なくとも部分的に基づく少なくとも１つの第１のフォーマット、ＵＬ許可に少なくとも部分的に基づく少なくとも１つの第２のフォーマット、または両方を備える電力ヘッドルーム報告構成でワイヤレスデバイスを構成することと、電力ヘッドルーム報告構成に少なくとも部分的に基づいて電力ヘッドルーム報告を受信することとを含み得る。
【００３１】
[0032]ワイヤレス通信のための装置について説明する。本装置は、第１のＴＴＩ長さをもつ第１のキャリアと、第１のＴＴＩ長さとは異なる第２のＴＴＩ長さをもつ第２のキャリアとを備えるキャリアアグリゲーション構成を決定するための手段と、仮想電力レベルに少なくとも部分的に基づく少なくとも１つの第１のフォーマット、ＵＬ許可に少なくとも部分的に基づく少なくとも１つの第２のフォーマット、または両方を備える電力ヘッドルーム報告構成でワイヤレスデバイスを構成するための手段と、電力ヘッドルーム報告構成に少なくとも部分的に基づいて電力ヘッドルーム報告を受信するための手段とを含み得る。
【００３２】
[0033]さらなる装置について説明する。本装置は、プロセッサと、プロセッサと電子通信しているメモリと、メモリに記憶された命令とを含み得る。命令は、第１のＴＴＩ長さをもつ第１のキャリアと、第１のＴＴＩ長さとは異なる第２のＴＴＩ長さをもつ第２のキャリアとを備えるキャリアアグリゲーション構成を決定することと、仮想電力レベルに少なくとも部分的に基づく少なくとも１つの第１のフォーマット、ＵＬ許可に少なくとも部分的に基づく少なくとも１つの第２のフォーマット、または両方を備える電力ヘッドルーム報告構成でワイヤレスデバイスを構成することと、電力ヘッドルーム報告構成に少なくとも部分的に基づいて電力ヘッドルーム報告を受信することとをプロセッサに行わせるように動作可能であり得る。
【００３３】
[0034]ワイヤレス通信のための非一時的コンピュータ可読媒体について説明する。非一時的コンピュータ可読媒体は、第１のＴＴＩ長さをもつ第１のキャリアと、第１のＴＴＩ長さとは異なる第２のＴＴＩ長さをもつ第２のキャリアとを備えるキャリアアグリゲーション構成を決定することと、仮想電力レベルに基づく少なくとも１つの第１のフォーマット、ＵＬ許可に基づく少なくとも１つの第２のフォーマット、または両方を備える電力ヘッドルーム報告構成でワイヤレスデバイスを構成することと、電力ヘッドルーム報告構成に基づいて電力ヘッドルーム報告を受信することとをプロセッサに行わせるための命令を含み得る。
【００３４】
[0035]本開示は以下の図面を参照することによって理解され得る。
【図面の簡単な説明】
【００３５】
【図１】[0036]本開示の様々な態様による、拡張コンポーネントキャリア（ｅＣＣ）をもつキャリアアグリゲーション（ＣＡ）のための電力制御および電力ヘッドルーム報告をサポートするワイヤレス通信システムの一例を示す図。
【図２】[0037]本開示の様々な態様による、ｅＣＣをもつＣＡのための電力制御および電力ヘッドルーム報告をサポートするワイヤレス通信システムの一例を示す図。
【図３】[0038]本開示の様々な態様による、ｅＣＣをもつＣＡのための電力制御および電力ヘッドルーム報告をサポートするシステムにおけるｅＣＣタイミング構成の例を示す図。
【図４】本開示の様々な態様による、ｅＣＣをもつＣＡのための電力制御および電力ヘッドルーム報告をサポートするシステムにおけるｅＣＣタイミング構成の例を示す図。
【図５】[0039]本開示の様々な態様による、ｅＣＣをもつＣＡのための電力制御および電力ヘッドルーム報告をサポートするシステムにおける電力ヘッドルーム報告構成の一例を示す図。
【図６】[0040]本開示の様々な態様による、ｅＣＣをもつＣＡのための電力制御および電力ヘッドルーム報告をサポートするシステムにおけるプロセスフローの一例を示す図。
【図７】[0041]本開示の様々な態様による、ｅＣＣをもつＣＡのための電力制御および電力ヘッドルーム報告をサポートする１つまたは複数のワイヤレスデバイスのブロック図。
【図８】本開示の様々な態様による、ｅＣＣをもつＣＡのための電力制御および電力ヘッドルーム報告をサポートする１つまたは複数のワイヤレスデバイスのブロック図。
【図９】本開示の様々な態様による、ｅＣＣをもつＣＡのための電力制御および電力ヘッドルーム報告をサポートする１つまたは複数のワイヤレスデバイスのブロック図。
【図１０】[0042]本開示の様々な態様による、ｅＣＣをもつＣＡのための電力制御および電力ヘッドルーム報告をサポートするユーザ機器（ＵＥ）を含むシステムの図。
【図１１】[0043]本開示の様々な態様による、ｅＣＣをもつＣＡのための電力制御および電力ヘッドルーム報告をサポートする１つまたは複数のワイヤレスデバイスのブロック図。
【図１２】本開示の様々な態様による、ｅＣＣをもつＣＡのための電力制御および電力ヘッドルーム報告をサポートする１つまたは複数のワイヤレスデバイスのブロック図。
【図１３】本開示の様々な態様による、ｅＣＣをもつＣＡのための電力制御および電力ヘッドルーム報告をサポートする１つまたは複数のワイヤレスデバイスのブロック図。
【図１４】[0044]本開示の様々な態様による、ｅＣＣ内のＣＡのための電力制御および電力ヘッドルーム報告をサポートする基地局を含むシステムの図。
【図１５】[0045]本開示の様々な態様による、ｅＣＣをもつＣＡのための電力制御および電力ヘッドルーム報告のための方法を示す図。
【図１６】本開示の様々な態様による、ｅＣＣをもつＣＡのための電力制御および電力ヘッドルーム報告のための方法を示す図。
【図１７】本開示の様々な態様による、ｅＣＣをもつＣＡのための電力制御および電力ヘッドルーム報告のための方法を示す図。
【図１８】本開示の様々な態様による、ｅＣＣをもつＣＡのための電力制御および電力ヘッドルーム報告のための方法を示す図。
【発明を実施するための形態】
【００３６】
[0046]本開示によれば、異なるタイミング構成を有するコンポーネントキャリア（ＣＣ）で構成されたユーザ機器（ＵＥ）は、異なるＣＣの間で電力を割り振るためにジョイント電力制御構成を利用し得る。非同期ＣＣと拡張ＣＣ（ｅＣＣ）とのためのキャリアアグリゲーション（ＣＡ）電力構成の例を含む、本開示の態様について、ワイヤレス通信システムのコンテキストで説明する。たとえば、ユーザ機器（ＵＥ）は、異なるタイミング構成をもつＣＣの送信電力を動的に決定し、調整し得る。これは、ＵＥが、予期しない重複するアップリンク許可にかかわらず、いくつかのサービス品質（ＱｏＳ）標準を保証するために電力を効率的に割り振ることを可能にし得る。ＵＥは、様々な例では、基地局電力制御情報または優先度情報に基づいて送信電力構成を決定し得る。さらに、説明する例のいくつかは、報告に関連する実際の送信電力レベルにＵＥが気づいていないことがあるシナリオのための電力ヘッドルーム報告構成を示す。本開示のこれらおよび他の態様は、ｅＣＣをもつＣＡのための電力制御および電力ヘッドルーム報告に関連する装置図、システム図、およびフローチャートによって示され、それらに関して説明される。
【００３７】
[0047]図１は、本開示の様々な態様による、ｅＣＣをもつＣＡのための電力制御および電力ヘッドルーム報告をサポートするワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）／ＬＴＥアドバンスト（ＬＴＥ−Ａ）ネットワークであり得る。
【００３８】
[0048]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。基地局１０５は、ｅＣＣのための電力制御および電力ヘッドルーム報告をサポートするために互いにサポートし得、通信し得る。たとえば、基地局１０５は、バックホールリンク（backhaul links）１３２（たとえば、Ｓ１など）を通してコアネットワーク１３０とインターフェースし得る。基地局１０５はまた、直接あるいは間接的に（たとえば、コアネットワーク１３０を通して）バックホールリンク１３４（たとえば、Ｘ１など）を介して互いに通信し得る。基地局１０５は、ＵＥ１１５との通信のための無線構成およびスケジューリングを実施し得るか、または基地局コントローラ（図示せず）の制御下で動作し得る。様々な例では、基地局１０５は、マクロセル、スモールセル、ホットスポットなどであり得る。基地局１０５は、いくつかの例では、発展型ノードＢ（ｅＮＢ）１０５と呼ばれることもある。
【００３９】
[0049]ＵＥ１１５は、ワイヤレス通信システム１００全体にわたって分散され得、各ＵＥ１１５は固定またはモバイルであり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。ＵＥ１１５は、基地局１０５と通信し得、ｅＣＣをもつＣＡのための電力制御および電力ヘッドルーム報告をサポートし得る。
【００４０】
[0050]基地局１０５およびＵＥ１１５は、ＣＣ、レイヤ、チャネルなどと呼ばれることもある、キャリアを使用して通信し得る。「コンポーネントキャリア」またはＣＣという用語は、ＣＡ動作においてＵＥによって利用される複数のキャリアの各々を指し得、システム帯域幅の他の部分とは別個であり得る。たとえば、ＣＣは、独立して、または他のコンポーネントキャリアと組み合わせて利用されることが可能である、比較的狭い帯域幅のキャリアであり得る。各ＣＣは、ＬＴＥ規格のリリース８またはリリース９に基づく分離キャリアと同じ能力を与え得る。複数のＣＣは、より大きい帯域幅と、たとえば、より高いデータレートとをいくつかのＵＥ１１５に提供するために、アグリゲートされるかまたは同時に利用され得る。したがって、個々のＣＣは、レガシーＵＥ１１５（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のＣＣを用いて構成され得る。ＤＬのために使用されるキャリアはＤＬ  ＣＣと呼ばれることがあり、ＵＬのために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。
【００４１】
[0051]ＵＥ１１５は、複数のキャリアを利用して単一の基地局１０５と通信し得、また、異なるキャリア上で同時に複数の基地局と通信し得る。基地局１０５の各セルは、ＵＬ  ＣＣとＤＬ  ＣＣとを含み得る。基地局１０５のための各サービングセルのカバレージエリア１１０は異なり得る（たとえば、異なる周波数帯域上のＣＣは異なる経路損失を経験し得る）。いくつかの例では、あるキャリアは、１次セル（ＰＣｅｌｌ）によってサービスされ得る、ＵＥ１１５のための１次キャリアまたは１次コンポーネントキャリア（ＰＣＣ）として指定される。ＰＣｅｌｌは、ＵＥごとに上位レイヤ（たとえば、無線リソース制御（ＲＲＣ）など）によって半静的に構成され得る。物理アップリンク制御チャネル（ＰＵＣＣＨ）上で送信される、あるアップリンク制御情報（ＵＣＩ）、たとえば、肯定応答（ＡＣＫ）／否定応答（ＮＡＣＫ）、チャネル品質インジケータ（ＣＱＩ）、およびスケジューリング情報は、ＰＣｅｌｌによって搬送される。追加のキャリアは、２次セル（ＳＣｅｌｌ）によってサービスされ得る、２次キャリア、または２次コンポーネントキャリア（ＳＣＣ）として指定され得る。２次セルは、同様に、ＵＥごとに半静的に構成され得る。いくつかの場合には、ＳＣｅｌｌは、ＰＣｅｌｌと同じ制御情報を含まないかまたはそれを送信するように構成されないことがある。
【００４２】
[0052]いくつかの場合には、ワイヤレス通信システム１００は、１つまたは複数のｅＣＣを利用し得る。ＳＣｅｌｌは、たとえば、ｅＣＣであり得る。ｅＣＣは、フレキシブルな帯域幅、異なる送信時間間隔（ＴＴＩ）、および修正された制御チャネル構成を含む、１つまたは複数の特徴によって特徴づけられ得る。いくつかの場合には、ｅＣＣは、ＣＡ構成またはデュアル接続性構成（すなわち、複数のサービングセルが準最適なバックホールリンクを有するとき）に関連付けられ得る。ｅＣＣはまた、（２つ以上の事業者がスペクトルを使用することを認可された場合）無認可スペクトルまたは共有スペクトルにおいて使用するために構成され得る。フレキシブルな帯域幅によって特徴づけられるｅＣＣは、全帯域幅を監視することがする可能でないか、または（たとえば、電力を節約するために）限られた帯域幅を使用することを選好するＵＥ１１５によって利用され得る１つまたは複数のセグメントを含み得る。
【００４３】
[0053]場合によっては、ｅＣＣは、低減または可変シンボル持続時間の使用を含み得る、可変ＴＴＩ長さを利用し得る。場合によっては、シンボル持続時間は同じままであり得るが、各シンボルは別個のＴＴＩを表すことがある。ｅＣＣは、いくつかの例では、異なるＴＴＩ長さに関連する複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。いくつかの場合には、より短いシンボル持続時間は、増加されたサブキャリア間隔にも関連し得る。
【００４４】
[0054]フレキシブルな帯域幅および可変ＴＴＩは、修正された制御チャネル構成に関連し得（たとえば、ｅＣＣは、ＤＬ制御情報のために拡張物理ダウンリンク制御チャネル（ｅＰＤＣＣＨ）を利用し得る）。たとえば、ｅＣＣの１つまたは複数の制御チャネルは、フレキシブルな帯域幅使用に適応するために周波数分割多重化（ＦＤＭ）スケジューリングを利用し得る。他の制御チャネル修正は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣはまた、以下で説明するように、修正されたまたは追加のハイブリッド自動再送要求（ＨＡＲＱ）関係の制御情報を含み得る。
【００４５】
[0055]ＵＥ１１５は、干渉を緩和し、ＵＬデータレートを改善し、バッテリー寿命を延長するために、サービング基地局を用いて送信電力を協調させ得る。送信電力制御は、開ループ機構と閉ループ機構との組合せを含み得る。開ループ電力制御では、ＵＥ送信電力は、ダウンリンク経路損失の推定とチャネル構成とに依存し得る。閉ループ電力制御では、ネットワークは、明示的な電力制御コマンドを使用してＵＥ送信電力を直接制御し得る。開ループ電力制御は初期アクセスのために使用され得るが、開ループ制御と閉ループ制御の両方はＵＬ制御およびデータ送信のために使用され得る。ＵＥ１１５は、最大送信電力限界（maximum transmission power limit）と、ターゲット基地局受信電力と、経路損失と、変調およびコーディング方式（ＭＣＳ）と、送信のために使用されるリソースの数と、送信データのフォーマット（たとえば、物理ＵＬ制御チャネル（ＰＵＣＣＨ）フォーマット）とを考慮に入れるアルゴリズムを使用して送信電力を決定し得る。電力調整は、様々な状況に適するようにＵＥ１１５の送信電力を漸進的に調整し得る、送信電力コマンド（ＴＰＣ）メッセージを使用して基地局１０５によって行われ得る。ＵＥ１１５は、実際の送信電力と最大送信電力との間の差を示すために電力ヘッドルーム報告を送り得る。
【００４６】
[0056]ＣＡコンテキストでは、ＵＥ１１５は、総送信電力を計算し、次いで、１つまたは複数のＣＣの間で電力を割り振り得る。電力割振りは、半静的に行われるか、または各ＣＣについてＵＬ許可が受信されたときに行われ得る。いくつかのＣＣが異なるＴＴＩ長さを有する場合（たとえば、あるＣＣがｅＣＣである場合）、あるＣＣのためのＵＬ許可は、別のＣＣに電力がすでに割り振られた後に受信され得る。この場合、電力は、別のＣＣ上での使用のために、あるＣＣから「借用」され得る。すなわち、あるＣＣに割り振られた電力は別のＣＣに動的に再割り振りされ得る。これは、ＵＥ１１５が両方のＣＣ上で同時に送信している場合にさえ起こり得る。電力を借用するための決定は、様々なＣＣおよび送信タイプの優先度付けに基づき得る。
【００４７】
[0057]図２は、本開示の様々な態様による、ｅＣＣをもつＣＡのための電力制御および電力ヘッドルーム報告をサポートするワイヤレス通信システム２００の一例を示す。ワイヤレス通信システム２００は、異なるタイミング構成をもつＣＣによるアップリンク送信のために電力制御を行い得る。電力制御は、スケジューリングレイテンシと非同期アップリンクバーストとに関係なくＣＣへの送信電力の効率的な割振りを行うために動的に決定され得る。ワイヤレス通信システム２００は、本明細書でおよび図１に関して説明するデバイスの例であり得る、ＵＥ１１５−ａと基地局１０５−ａとを含み得る。
【００４８】
[0058]基地局１０５−ａは、カバレージエリア１１０−ａ内のどんなＵＥ１１５とも（たとえば、ＣＡを使用して）通信し得る。たとえば、基地局１０５−ａは、ＰＣｅｌｌ２０５およびｅＣＣ  ＳＣｅｌｌ２１０など、ＣＣを介してＵＥ１０５−ａとデータおよび制御情報を交換し得る。場合によっては、ｅＣＣ  ＳＣｅｌｌ２１０は、ＰＣｅｌｌ２０５に関連するＴＴＩよりも持続時間が短いＴＴＩを含み得る。たとえば、ｅＣＣ  ＳＣｅｌｌ  ＴＴＩ２１５はＬＴＥシンボル期間であり得、ＰＣｅｌｌ  ＴＴＩ２２０はＬＴＥサブフレーム（たとえば、持続時間が１ｍｓ）であり得る。ＵＥ１１５−ａは、ダウンリンクｅＣＣ  ＳＣｅｌｌ  ＴＴＩ２２５とダウンリンクＰＣｅｌｌ  ＴＴＩ２３０との中で基地局１０５−ａから情報を受信し得る。ＵＥ１１５−ａは、アップリンクｅＣＣ  ＳＣｅｌｌ  ＴＴＩ２３５とアップリンクＰＣｅｌｌ  ＴＴＩ２４０との中で基地局１０５−ａに情報を送り得る。アップリンクｅＣＣ  ＳＣｅｌｌ  ＴＴＩ２３５およびアップリンクＰＣｅｌｌ  ＴＴＩ２４０は非同期的にスケジュールおよび送信され得る（たとえば、ＴＴＩ境界が整合されないことがある）。連続するｅＣＣ  ＳＣｅｌｌ２１０、またはＰＣｅｌｌ  ２０５、ＴＴＩのグループはバーストと呼ばれることがある。
【００４９】
[0059]いくつかのシナリオでは、基地局１０５−ａは、ＵＥ１１５−ａがアップリンクのために使用し得る最大（または最小）送信電力を含み得る、電力制御情報をＵＥ１１５−ａに送り得る。電力制御は漸進的ＴＰＣメッセージの形式であり得る。電力制御情報は、ＰＣｅｌｌ２０５またはｅＣＣ  ＳＣｅｌｌ２１０を使用して送られ得る。場合によっては、電力制御情報は、個々のＣＣのための最大送信電力指示（たとえば、ＰＣｅｌｌ２０５およびｅＣＣ  ＳＣｅｌｌ２１０の送信電力天井（transmit power ceilings））を含み得る。それに応じて、ＵＥ１１５−ａは、基地局１０５−ａによって与えられる情報に基づいてセルのための電力割振りを決定し得るか、または独立してＣＣの間で割振りを決定し得る。たとえば、ＵＥ１１５−ａは、基地局１０５−ａからの指示された電力制約に従って、ｅＣＣ  ＳＣｅｌｌ２１０アップリンク送信のために、ＰＣｅｌｌ２０５アップリンク送信の場合とは異なる電力量を割り振り（予約し）得る。別の例では、ＵＥ１１５−ａは、ｅＣＣ  ＳＣｅｌｌ２１０上のＵＬ送信のためにＰＣｅｌｌ２０５に割り振られた電力を借用（たとえば、再割り振り）し得る。
【００５０】
[0060]電力は、異なるタイプの送信の優先度付け方式に基づいて借用され得る。いくつかの例では、優先度付けルールのセットは、ＰＣｅｌｌに関してアップリンク制御情報（ＵＣＩ）を含んでいるシンボルに優先度付けするルールを含む。いくつかの例では、優先度付けルールのセットは、物理アップリンク共有チャネル（ＰＵＳＣＨ）ｅＣＣシンボルよりもＰＣｅｌｌ復調基準信号（ＤＭ−ＲＳ）送信に優先度付けするルールを含む。いくつかの例では、優先度付けルールのセットは、ＰＣｅｌｌサウンディング基準信号（ＳＲＳ）送信よりもｅＣＣ  ＰＵＳＣＨシンボルに優先度付けするルールを含む。
【００５１】
[0061]基地局１０５−ａは、ｅＣＣ  ＳＣｅｌｌ２１０およびＰＣｅｌｌ２０５を非同期アップリンク送信のためにスケジュールし得る。たとえば、基地局１０５−ａは、ｅＣＣ  ＳＣｅｌｌ２１０をスケジュールするのとは無関係にＰＣｅｌｌ２０５をスケジュールし得る。したがって、アップリンクＰＣｅｌｌ  ＴＴＩ２４０およびアップリンクｅＣＣ  ＳＣｅｌｌ  ＴＴＩ２３５は重複（overlap）し得、整合されることも整合されないこともある（すなわち、ＵＥ１１５−ａは、ｅＣＣ  ＳＣｅｌｌ２３５およびＰＣｅｌｌ２４０上で異なる時間に送信し得る）。基地局１０５−ａは、ＵＥ１１５−ａへのＵＬ許可におけるアップリンク送信のためにリソースをスケジュールし得る。場合によっては、アップリンク許可は、スケジュールされたリソースと同じキャリアによって搬送され得る（すなわち、ＰＣｅｌｌ２０５は、ＰＣｅｌｌ２０５リソースに関連するアップリンク許可を搬送し得、ｅＣＣ  ＳＣｅｌｌ２１０は、ｅＣＣ  ＳＣｅｌｌ２１０リソースに関連するアップリンク許可を搬送し得る）。アップリンク許可に関連するレイテンシは、ｅＣＣ  ＳＣｅｌｌ２１０の場合、低減されたＴＴＩ長さにより、ＰＣｅｌｌ２０５の場合よりも小さくなり得る。したがって、アップリンクｅＣＣ  ＳＣｅｌｌ  ＴＴＩ２３５は、アップリンクＰＣｅｌｌ  ＴＴＩ２４０よりも高速なターンアラウンドでスケジュールおよび送信され得る。
【００５２】
[0062]場合によっては、ＵＥ１１５−ａは、最大送信電力と基地局１０５−ａによって要求された電力との間の差を決定し、電力ヘッドルーム報告（ＰＨＲ：power headroom report）においてその差を報告し得る。ＰＨＲは、ＰＣｅｌｌ２０５またはｅＣＣ  ＳＣｅｌｌ２１０のいずれかを使用して送られ得る。ＰＨＲは、基地局１０５−ａからのプロンプトに従って送信されるか、またはＵＥ１１５−ａによって決定されるように独立して送信され得る。場合によっては、ＰＨＲは、ＵＥ１１５−ａまたは基地局１０５−ａによって設定されたスケジュールに従って、周期的に送られ得る。他の場合には、ＵＥ１１５−ａは、ＵＥ１１５−ａと基地局１０５−ａとの間の経路損失がしきい値を超えるときなど、通信状態の変化に基づいてＰＨＲを送り得る。いくつかのシナリオでは、周期的ＰＨＲと非周期的ＰＨＲとの組合せが実装され得る。
【００５３】
[0063]図３は、本開示の様々な態様による、ｅＣＣ内のＣＡのための電力制御および電力ヘッドルーム報告のためのｅＣＣタイミング構成３００の一例を示す。ｅＣＣタイミング構成３００は、電力量がｅＣＣ上での使用のために予約される例を表し得る。電力は、様々なタイミング構成（たとえば、異なる長さＴＴＩ）を使用するＣＣのサービス品質（ＱｏＳ）標準を保証するために半静的に割り振られ得る。ｅＣＣタイミング構成３００は、図１および図２を参照しながら説明したように、ＵＥ１１５と基地局１０５との間の電力制御された通信のために使用され得る。ｅＣＣタイミング構成３００は、図１および図２を参照しながら本明細書で説明した動作を実施し得る、ＰＣｅｌｌ２０５−ａおよびｅＣＣ  ＳＣｅｌｌ２１０−ａを含み得る。いくつかの例では、ｅＣＣ  ＳＣｅｌｌ２１０は、短いＴＴＩを含むｅＣＣ  ＳＣｅｌｌであり得る（すなわち、ｅＣＣ  ＳＣｅｌｌ２１０−ａ  ＴＴＩはＰＣｅｌｌ２０５−ａ  ＴＴＩよりも持続時間が短くなり得る）。ｅＣＣタイミング構成３００はまた、ダウンリンクＰＣｅｌｌ  ＴＴＩ２３０−ａと重複し得る、アップリンクｅＣＣ  ＳＣｅｌｌバースト２３５−ａを含み得る。
【００５４】
[0064]ｅＣＣタイミング構成３００は、基地局１０５からＵＥ１１５にデータおよび制御（たとえば、アップリンク許可）を搬送し得る、ダウンリンクｅＣＣ  ＳＣｅｌｌ  ＴＴＩ２２５−ａおよびダウンリンクＰＣｅｌｌ  ＴＴＩ２３０−ａを含み得る。たとえば、基地局１０５は、アップリンクｅＣＣ  ＳＣｅｌｌバースト２３５−ｂをスケジュールするアップリンク許可３１０を送り得る。アップリンクｅＣＣ  ＳＣｅｌｌバースト２３５−ｃ、２３５−ｄも、それぞれのアップリンク許可（図示せず）によってスケジュールされ得る。基地局１０５は、異なるＣＣのアップリンクＴＴＩが重複するように、ＣＣのためのリソースを非同期的にスケジュールし得る。たとえば、重複期間３０５は、アップリンクＰＣｅｌｌ  ＴＴＩ２４０−ａ中にスケジュールされるアップリンクｅＣＣ  ＳＣｅｌｌバースト２３５−ｂ、２３５−ｃ、２３５−ｄを含み得る。したがって、ＰＣｅｌｌ  ＴＴＩ２４０−ａは、ｅＣＣ  ＳＣｅｌｌバースト２３５−ｂ、２３５−ｃ、および２３５−ｄのＴＴＩと重複すると言われ得る。
【００５５】
[0065]場合によっては、ダウンリンクＰＣｅｌｌ  ＴＴＩ２３０−ａは電力制御情報を含み得る。たとえば、ＰＣｅｌｌ２０５−ａ送信は、ｅＣＣ  ＳＣｅｌｌ２１０−ａアップリンク送信のために所定量の電力を予約し得る。そのようなシナリオでは、最小の電力量（たとえば、ＰＣｅｌｌ２０５−ａ送信のために使用されない電力）を予約することにより、ｅＣＣ  ＳＣｅｌｌ２１０−ａ送信は最小のサービス品質（ＱｏＳ）を下回るのを防止され得る。場合によっては、ｅＣＣ  ＳＣｅｌｌ２１０−ａのための予約された送信電力レベルは、ＵＥ１１５に関連する総電力の一部分として構成され得る。送信電力予約は、ｅＣＣ  ＳＣｅｌｌ２１０−ａトラフィックまたは構成されたセルの数に基づき得る。他の事例では、ｅＣＣ  ＳＣｅｌｌ２１０−ａが電力制御情報を搬送し得る。たとえば、アップリンクＰＣｅｌｌ  ＴＴＩ２４０−ａに対応するリーディングｅＣＣ  ＳＣｅｌｌ  ＴＴＩ３１５は、送信電力フロアまたは天井などの電力制御情報を含み得る。場合によっては、基地局１０５は、アップリンク許可のスケジューリングに関連する前にＵＥ１１５に電力制御情報を送信し得る。
【００５６】
[0066]ｅＣＣタイミング構成３００はまた、前のダウンリンクＰＣｅｌｌ２０５−ａ  ＴＴＩ（たとえば、ダウンリンクＰＣｅｌｌ  ＴＴＩ２３０−ａ）によって搬送される許可においてスケジュールされ得る、アップリンクＰＣｅｌｌ  ＴＴＩ２４０−ａを含み得る。ｅＣＣ  ＳＣｅｌｌ２１０−ａ  ＴＴＩの短い持続時間により、ｅＣＣ  ＳＣｅｌｌ２１０−ａアップリンク許可（たとえば、アップリンク許可３１０）および関連するアップリンク送信（たとえば、アップリンクｅＣＣ  ＳＣｅｌｌバースト２３５−ｂ、２３５−ｃ、２３５−ｄ）は、単一のＰＣｅｌｌ２０５−ａ  ＴＴＩ内に生じ得る。したがって、ＵＥ１１５−ａは、ｅＣＣ  ＳＣｅｌｌアップリンク許可がＰＣｅｌｌ  ２０５−ａ  ＴＴＩ中に生じ得るので、アップリンクＰＣｅｌｌ２０５−ａ  ＴＴＩとアップリンクｅＣＣ  ＳＣｅｌｌ２１０−ａ  ＴＴＩとの間の重複を予測することが不可能であり得る。したがって、ＵＥ１１５は、各ＣＣに別々に電力予約を割り振るように構成され得る。
【００５７】
[0067]場合によっては、ＵＥ１１５は、各ＣＣ上の送信をそのＣＣの電力限界に制限し得る。しかしながら、ＵＥ１１５は、アップリンク送信中にまたはそれの間にＰＣｅｌｌ２０５−ａおよびｅＣＣ  ＳＣｅｌｌ２１０−ａのための送信電力を変更または修正し得る。修正は、基地局１０５−ａによって指示される電力制御に従って決定され得る。場合によっては、ＰＣｅｌｌ２０５−ａの送信電力があらかじめスケジュールされ得、ｅＣＣ  ＳＣｅｌｌ２１０−ａの送信電力が修正または調整され得る。すなわち、アップリンクＰＣｅｌｌ  ＴＴＩ２４０−ａは、所定の送信電力に基づく電力レベルを利用することであり得る。場合によっては、ｅＣＣタイミング構成３００は、１つまたは複数の追加のｅＣＣ  ＳＣｅｌｌ２１０を含み得る。ｅＣＣ  ＳＣｅｌｌ２１０は、ＰＣｅｌｌ２０５−ａ、ｅＣＣ  ＳＣｅｌｌ２１０−ａ、または何らかの他のタイミング構成と同じタイミング構成をサポートし得る。基地局１０５およびＵＥ１１５は、本明細書で説明する電力制御方式に追加のｅＣＣ  ＳＣｅｌｌ２１０を組み込み得る。
【００５８】
[0068]図４は、本開示の様々な態様による、ｅＣＣ内のＣＡのための電力制御および電力ヘッドルーム報告のためのｅＣＣタイミング構成４００の一例を示す。ｅＣＣタイミング構成４００は、より高い優先度データをもつＣＣに電力を効率的に割り振るために、予期しない非同期アップリンク重複に関連するｅＣＣ送信のために電力を借用する一例を示し得る。これは、ｅＣＣ上で最小のＱｏＳを保証する傾向があり得る。ｅＣＣタイミング構成３００は、ＵＥ１１５と基地局１０５との間の電力制御された通信のために使用され得る。ｅＣＣタイミング構成４００は、図１〜図３を参照しながら本明細書で説明した動作を実施し得る、ＰＣｅｌｌ２０５−ｂおよびｅＣＣ  ＳＣｅｌｌ２１０−ｂを含み得る。ｅＣＣタイミング構成４００は、ｅＣＣ  ＳＣｅｌｌ２１０−ｂとＰＣｅｌｌ２０５−ｂの両方の上での予期しないアップリンク送信を含む、重複期間３０５−ａを含み得る。
【００５９】
[0069]ＵＥ１１５は、ｅＣＣ  ＳＣｅｌｌ２１０−ｂ  ＴＴＩレベルにおいてＣＣのための送信電力をアクティブに管理し得る。すなわち、ｅＣＣ  ＳＣｅｌｌ２１０−ｂ  ＴＴＩのための送信電力レベルは、異なるＴＴＩでは異なり得る。いくつかの例では、ＣＣのための送信電力はＴＴＩ内で（たとえば、アップリンクＰＣｅｌｌ  ＴＴＩ２４０−ｂ内で）変化し得る。場合によっては、ＵＥ１１５は、ＰＣｅｌｌ２０５−ｂのために割り振られた電力の一部分を使用してｅＣＣ  ＳＣｅｌｌ２１０−ｂを送信し得る。すなわち、ＵＥ１１５は、ｅＣＣ  ＳＣｅｌｌ２１０−ｂに追加の電力を供給するためにＰＣｅｌｌ２０５−ｂ上のＴＴＩ内で電力調整を使用し得る（たとえば、ＵＥ１１５が電力制限されたとき、ｅＣＣ  ＳＣｅｌｌ２１０−ｂ送信はＰＣｅｌｌ２０５−ｂから電力を借用し得る）。電力借用はＣＣ間のアップリンク重複に基づき得る。たとえば、ＵＥ１１５は、重複期間３０５−ｂ、３０５−ｄ中にＰＣｅｌｌ２０５−ｂの送信電力を減少させ得、一方、それと同時に、対応するアップリンクｅＣＣ  ＳＣｅｌｌバースト２３５−ｆ、２３５−ｈの送信電力を増加させ得る。ＵＥ１１５は、関連する送信のコンテンツに基づいて重複期間３０５−ｃ中に電力を借用するのを控え得る。
【００６０】
[0070]ＵＥ１１５は、単一のＰＣｅｌｌ２０５−ｂ  ＴＴＩ内でＣＣの送信電力を調整し得る。たとえば、ＰＣｅｌｌ２０５−ａは、電力制御構成に基づいて初期電力で送信し得る。しかしながら、重複するｅＣＣ  ＳＣｅｌｌ２１０−ｂバーストがアップリンクのためにスケジュールされたとき、ＵＥ１１５は、ｅＣＣ  ＳＣｅｌｌ２１０−ｂバーストのためにＰＣｅｌｌ２０５−ｂの電力レベルを減少させ、ｅＣＣ  ＳＣｅｌｌ２１０−ｂの送信電力をブーストし得る。場合によっては、ＰＣｅｌｌ２０５−ｂ上の送信電力の減少は、ｅＣＣ  ＳＣｅｌｌ２１０−ｂ上の送信電力の増加と同じであり得る。重複期間３０５−ａ内のｅＣＣ  ＳＣｅｌｌ２１０−ｂバーストの送信電力は同じであることも異なることもある（たとえば、アップリンクｅＣＣ  ＳＣｅｌｌバースト２３５−ｆは、アップリンクｅＣＣ  ＳＣｅｌｌバースト２３５−ｇの送信電力とは異なる送信電力を有し得る）。重複期間３０５−ａ内のｅＣＣ  ＳＣｅｌｌ２１０−ｂバーストの送信電力は、重複期間３０５−ａの外部のｅＣＣ  ＳＣｅｌｌ２１０−ｂバーストの送信電力と同じであることも異なることもある（たとえば、アップリンクｅＣＣ  ＳＣｅｌｌバースト２３５−ｈは、アップリンクｅＣＣ  ＳＣｅｌｌバースト２３５−ｅの送信電力とは異なる送信電力を有し得る）。
【００６１】
[0071]このようにして、ＵＥ１１５は、電力の再分配を介してＣＣの電力レベルを動的に修正し得る。この再分配は優先度に基づき得る。たとえば、高い優先度に関連するＣＣは、より低い優先度に関連するＣＣのために割り振られた電力を使用して送信され得る。優先度付けは、ＵＥ１１５によって決定されるか、または基地局１０５からのアップリンク許可中で指示され得る。たとえば、ＰＣｅｌｌ２０５−ｂ上で搬送されるｅＣＣ  ＳＣｅｌｌ２１０−ｂアップリンク許可が優先度付け情報を含み得る。優先度付けは、データタイプ、信号タイプ、または情報レイヤなど、送信に関連する情報に基づき得る。優先度付けは動的または静的であり得る。場合によっては、優先度付けは、ＰＣｅｌｌ２０５−ｂ  ＴＴＩの持続時間内で変化し得る。
【００６２】
[0072]図５は、本開示の様々な態様による、ｅＣＣをもつＣＡのための電力制御および電力ヘッドルーム報告のための電力ヘッドルーム報告構成５００の一例を示す。電力ヘッドルーム報告構成５００は、ＵＥ１１５が、関係するＣＣのアップリンクスケジュールに気づかされる前に、ＵＥ１１５がヘッドルーム情報を報告することを可能にし得る。電力ヘッドルーム報告構成５００は、ＵＥ１１５のための電力ヘッドルームを搬送するＰＣｅｌｌ  ＰＨＲ５０５を含み得る。電力ヘッドルーム報告構成５００は、図１〜図４を参照しながら本明細書で説明した動作を実施し得る、ＰＣｅｌｌ２０５−ｃおよびｅＣＣ  ＳＣｅｌｌ２１０−ｃを含み得る。
【００６３】
[0073]場合によっては、基地局１０５は、電力ヘッドルーム（すなわち、ＵＥ１１５が現在の送信に基づいて使用するために利用可能な送信電力）を報告するようにＵＥ１１５をスケジュールし得る。他の場合には、ＵＥ１１５は、独立してＰＨＲを送り得る。たとえば、ＵＥ１１５は、周期的に、あるいは通信状態の変化時に（たとえば、ｅＣＣ  ＳＣｅｌｌがアクティブにされたとき、基地局１０５への経路損失が変化したとき、またはタイマーが満了したとき）ＰＨＲを送信し得る。ＵＥ１１５は、基地局１０５からの情報に基づいてＰＨＲをいつ送るべきかを決定し得る。場合によっては、ＵＥ１１５は、ＰＣｅｌｌ２０５−ｃ上で電力ヘッドルームを報告するようにスケジュールされ得る。たとえば、ＵＥ１１５は、ＰＣｅｌｌ  ＴＴＩ２４０−ｂ中に送信するようにスケジュールされ得る。
【００６４】
[0074]場合によっては、ＵＥ１１５は、ｅＣＣ  ＳＣｅｌｌ２１０−ｃの低レイテンシスケジューリングにより、アップリンクＰＣｅｌｌ  ＴＴＩ２４０−ｂに関連する電力ヘッドルームを知らないことがある。すなわち、ＰＣｅｌｌ２０５−ｃ上で搬送されるＰＨＲは、同じＰＣｅｌｌ２０５−ｃ  ＴＴＩ中にｅＣＣ  ＳＣｅｌｌ２１０−ｃのための実際の電力ヘッドルームを含まないことがある。たとえば、ＵＥ１１５は、ＰＣｅｌｌ  ＴＴＩ２４０−ｂ中にｅＣＣ  ＳＣｅｌｌ  ＴＴＩ２３５−ｉ、２３５−ｊ、２３５−ｋのためのアップリンク許可５１０を受信し得る。したがって、ＵＥ１１５は、アップリンクｅＣＣ  ＳＣｅｌｌ  ＴＴＩ２３５−ｉ、２３５−ｊ、２３５−ｋがスケジュールされる前にＰＨＲを送信し得、それにより、利用可能な送信電力の推定が生じ得る。そのような事例では、ＵＥ１１５は仮想ＰＨＲを送り得る。仮想ＰＨＲは、デフォルト値に基づき得るか、または予想されるアップリンク送信に基づいてＵＥ１１５によって動的に決定され得る。たとえば、ＵＥ１１５は、アップリンクＰＣｅｌｌ  ＴＴＩ２４０−ｂ中に電力消費量を予期し得る。場合によっては、仮想電力レベルは、基地局１０５からのセル履歴または構成情報に基づき得る。場合によっては、ＰＣｅｌｌ２０５−ｃは、ダウンリンクＰＣｅｌｌ  ＴＴＩ２３０−ｂ上にｅＣＣ  ＳＣｅｌｌ２１０−ｃのためのアップリンク許可を含み得る。そのような事例では、ＵＥ１１５は実際の電力ヘッドルームを報告し得る。
【００６５】
[0075]場合によっては、ＵＥ１１５は、ｅＣＣ  ＳＣｅｌｌ２１０−ｃ上で電力ヘッドルームを報告し得る。たとえば、アップリンクｅＣＣ  ＳＣｅｌｌ  ＴＴＩ２３５−ｉがｅＣＣ  ＳＣｅｌｌ  ＰＨＲ５１５を含み得る。ｅＣＣ  ＳＣｅｌｌ  ＰＨＲ５１５は、ｅＣＣ  ＳＣｅｌｌ２１０−ｃとＰＣｅｌｌ２０５−ｃとに関連する電力ヘッドルームを含み得る。ＰＣｅｌｌ２０５−ｃについて報告される電力ヘッドルームは、ＰＣｅｌｌ２０５−ｃアップリンク送信がｅＣＣ  ＳＣｅｌｌ２１０−ｂアップリンクと重複する場合、実際の電力割振りに基づき得る。重複を含む一例では、ＵＥ１１５は、ＰＣｅｌｌ２０５−ｃに関連する許可をＵＥ１１５が受信したとき、ＰＣｅｌｌ２０５−ｃ電力ヘッドルーム情報を記憶し、ｅＣＣ  ＳＣｅｌｌ２１０−ｃ許可を使用してＰＣｅｌｌ２０５−ｃ  ＰＨＲを送り得る。場合によっては、ＵＥ１１５は、実際のヘッドルーム報告を報告することと仮想ヘッドルーム報告を報告することとの間で切り替わり得る。
【００６６】
[0076]図６は、本開示の様々な態様による、ｅＣＣをもつＣＡのための電力制御および電力ヘッドルーム報告のためのプロセスフロー６００の一例を示す。プロセスフロー６００は、図１〜図５を参照しながら本明細書で説明した動作を実施し得る、ＵＥ１１５−ｂおよび基地局１０５−ｂを含み得る。ＵＥ１１５−ｂ、または基地局１０５−ｂは、基地局１０５−ｂとの通信のためのＣＡ構成を決定し得る。ＣＡ構成は、第１のＴＴＩ長さをもつ第１のキャリアと、第１のＴＴＩ長さとは異なる（たとえば、それよりも小さい）第２のＴＴＩ長さをもつ第２のキャリアとを含み得る。ＣＡはまた、電力制御構成または電力ヘッドルーム報告構成を含み得る。いくつかの例では、第１のキャリアはＰＣｅｌｌであり、第２のキャリアはｅＣＣセルである。いくつかの例では、第１のＴＴＩはＬＴＥサブフレームであり、第２のＴＴＩはＬＴＥシンボル期間である。
【００６７】
[0077]６０５において、ＵＥ１１５−ｂおよび基地局１０５−ｂがＣＡ構成を確立し得る。いくつかの例では、ＣＡ構成は、あるＴＴＩ長さを使用する第１のＣＣ（たとえば、ＰＣｅｌｌ）と、別のＴＴＩ長さを使用する第２のＣＣ（たとえば、ｅＣＣ  ＳＣｅｌｌ）との構成を含む。場合によっては、基地局１０５−ｂは、ＵＥ１１５−ｂのためのＣＡ構成および電力制御構成を決定し得る。いくつかの例では、基地局１０５−ｂは電力ヘッドルーム報告構成を決定し得る。基地局１０５−ｂはまた、送信における情報、情報レイヤ、または信号タイプに基づいて優先度付けルールのセットを決定し得る。したがって、電力制御構成を決定することは、優先度付けルールのセットに基づき得る。いくつかの例では、電力制御構成は、第２のキャリア上のトラフィックタイプまたはトラフィック量に基づく。
【００６８】
[0078]６１０において、ＵＥ１１５−ｂおよび基地局１０５−ｂは電力制御構成を確立し得る。いくつかの例では、ＵＥ１１５−ｂは、第１のキャリアと第２のキャリアとに基づいて電力制御構成を決定し得る。電力制御構成は、たとえば、第２のキャリア上のトラフィックタイプまたはトラフィック量に基づき得る。いくつかの例では、基地局１０５−ｂは、ＵＥ１１５−ｂのための電力制御構成を決定し得る。場合によっては、基地局１０５−ｂは、第１のキャリアと第２のキャリアとに基づいて電力制御構成を決定する。いくつかの例では、基地局１０５−ｂは、優先度付けルールのセットに基づいての上でＵＥ１１５−ｂのための電力制御パラメータを構成し得る
[0079]６１５において、ＵＥ１１５−ｂは、第２のキャリアの電力レベルを識別し得る。いくつかの例では、識別された電力レベルは仮想電力レベルである。追加または代替として、識別された電力レベルは、第２のキャリアのためのＵＬ許可に基づき得る。
【００６９】
[0080]６２０において、ＵＥ１１５−ｂは、第１のＴＴＩ長さの第１のＴＴＩ中の第１のキャリアのための送信電力レベルを選択し得る。ＵＥ１１５−ｂはまた、第２のＴＴＩ長さの第２のＴＴＩ中の第２のキャリアのための送信電力レベルを選択し得る。第２のＴＴＩは、第１のＴＴＩ内に位置するかまたは第１のＴＴＩ中に生じ得る。すなわち、第１のＴＴＩは第２のＴＴＩと重複し得る。いくつかの事例では、第２のキャリアのための送信電力レベルは、電力制御構成と、第１のキャリアのための送信電力レベルとに基づく。
【００７０】
[0081]６２５において、ＵＥ１１５−ｂは、電力制御構成に基づいて第１のキャリアのための送信電力レベルを低減し得る。いくつかの例では、ＵＥ１１５−ｂは、第２のキャリアのための予約された電力レベルを識別し得る。したがって、第１のキャリアのための送信電力レベルを低減することは、予約された電力レベルに基づき得る。いくつかの例では、第２のキャリアのための送信電力レベルは、第１のキャリアのための送信電力レベルを低減することによって利用可能にされた電力を利用することに基づいて選択される。いくつかの例では、第１のキャリアのための送信電力レベルを低減することは、第１のＴＴＩの少なくとも１つの第２のシンボル期間中の第１のキャリアのための送信電力レベルよりも小さい、第１のＴＴＩの少なくとも１つのシンボル期間中の第１のキャリアのための送信電力レベルを選択することを含む。少なくとも１つのシンボル期間中の第１のキャリアのための送信電力レベルは、電力制御構成と、第２のＴＴＩ中の第２のキャリアのための送信電力レベルとに基づき得る。
【００７１】
[0082]いくつかの事例では、ＵＥ１１５−ｂは、送信に関係する情報、情報レイヤ、または信号タイプに基づいて優先度付けルールのセットを識別し得る。したがって、電力制御構成を決定することは、優先度付けルールのセットに基づき得る。いくつかの例では、優先度付けルールのセットは、ＰＣｅｌｌに関してアップリンク制御情報（ＵＣＩ）を含んでいるシンボルに優先度付けするルールを含む。いくつかの例では、優先度付けルールのセットは、ＰＵＳＣＨ  ｅＣＣシンボルよりもＰＣｅｌｌ  ＤＭ−ＲＳ送信に優先度付けするルールを含む。いくつかの例では、優先度付けルールのセットは、ＰＣｅｌｌ  ＳＲＳ送信よりもｅＣＣ  ＰＵＳＣＨシンボルに優先度付けするルールを含む。
【００７２】
[0083]６３０において、ＵＥ１１５−ｂは、選択された送信電力に従って第１のキャリア２０５−ｄと第２のキャリア２１０−ｄとを送信し得る。いくつかの例では、ＵＥ１１５−ｂは、第１の送信電力レベル（たとえば、低減された送信電力レベル）に基づいてまたはそれに従って第１のキャリア２０５−ｄを送信し得る。ＵＥ１１５−ｂは、第２の送信電力レベルに基づいてまたはそれに従って第２のキャリア２０５−ｄを送信し得る。いくつかの例では、第２の送信電力レベルは第１の送信電力レベルまたは電力制御情報に基づき得る。
【００７３】
[0084]６３５において、ＵＥ１１５−ｂはＰＨＲを送信し得る。送信は、第２のキャリアのためのＰＨＲを含み得る。ＰＨＲは、第２のキャリアのための識別された電力レベルに基づき得る。ＵＥ１１５−ｂまたは基地局１０５−ｂは、いくつかの電力ヘッドルームフォーマットからＰＨＲのフォーマットを選択し得る。これらのいくつかの電力ヘッドルームフォーマットは電力ヘッドルーム報告構成中に含まれ得る。電力ヘッドルーム報告構成は、基地局１０−５ｂによって決定されるかまたはＵＥ１１５−ｂに送信され得る。いくつかの例では、ＰＨＲは電力ヘッドルームフォーマットに基づく。場合によっては、これらのいくつかの電力ヘッドルームフォーマットは、仮想電力レベルに基づく１つの第１のフォーマットと、ＵＬ許可に基づく少なくとも１つの第２のフォーマットとを含む。
【００７４】
[0085]いくつかの事例では、基地局１０５−ｂは、仮想電力レベルに基づく少なくとも１つの第１のフォーマット、ＵＬ許可に基づく少なくとも１つの第２のフォーマット、または両方を含む電力ヘッドルーム報告構成でワイヤレスデバイスを構成し得る。したがって、基地局１０５−ｂは、電力ヘッドルーム報告構成に基づいて（たとえば、ＵＥ１１５−ｂから）ＰＨＲを受信し得る。
【００７５】
[0086]図７は、本開示の様々な態様による、ｅＣＣをもつＣＡのための電力制御および電力ヘッドルーム報告のために構成されたワイヤレスデバイス７００のブロック図を示す。ワイヤレスデバイス７００は、図１〜図６を参照しながら説明したＵＥ１１５の態様の一例であり得る。ワイヤレスデバイス７００は、受信機７０５、ｅＣＣ電力制御モジュール７１０、または送信機７１５を含み得る。ワイヤレスデバイス７００はまた、プロセッサを含み得る。これらの構成要素の各々は互いと通信していることがある。
【００７６】
[0087]受信機７０５は、パケット、ユーザデータ、または様々な情報チャネルに関連する制御情報（たとえば、制御チャネル、データチャネル、ならびにｅＣＣにおける電力制御および電力ヘッドルームに関係する情報など）などの情報を受信し得る。情報は、ｅＣＣ電力制御モジュール７１０に、およびワイヤレスデバイス７００の他の構成要素に受け渡され得る。
【００７７】
[0088]ｅＣＣ電力制御モジュール７１０は、第１のＴＴＩ長さをもつ第１のキャリアと、第１のＴＴＩ長さよりも小さい第２のＴＴＩ長さをもつ第２のキャリアとを含むＣＡ構成を決定し得る。ＣＡ構成は、電力制御構成または電力ヘッドルーム報告構成を含み得る。ｅＣＣ電力制御モジュール７１０は、第１のキャリアと第２のキャリアとに基づいて電力制御構成を決定し得る。ｅＣＣ電力制御モジュール７１０はまた、第１のＴＴＩ長さの第１のＴＴＩ中の第１のキャリアのための送信電力レベルを選択し、第２のＴＴＩ長さの第２のＴＴＩ中の第２のキャリアのための送信電力レベルを選択し得る。第１のＴＴＩは第２のＴＴＩと重複し得る。第２のキャリアのための送信電力レベルは、電力制御構成と、第１のキャリアのための送信電力レベルとに基づき得る。
【００７８】
[0089]送信機７１５は、ワイヤレスデバイス７００の他の構成要素から受信された信号を送信し得る。いくつかの例では、送信機７１５は、トランシーバモジュール中で受信機７０５とコロケートされ（collocated）得る。送信機７１５は、単一のアンテナを含み得るか、または複数のアンテナを含み得る。いくつかの例では、送信機７１５は、第１の送信電力レベル（たとえば、低減された送信電力レベル）に基づいてまたはそれに従って第１のキャリアを送信し得る。送信機７１５は、第２の送信電力レベルに基づいてまたはそれに従って第２のキャリアを送信し得る。いくつかの例では、第２の送信電力レベルは第１の送信電力レベルまたは電力制御情報に基づき得る。
【００７９】
[0090]図８は、本開示の様々な態様による、ｅＣＣをもつＣＡのための電力制御および電力ヘッドルーム報告のためのワイヤレスデバイス８００のブロック図を示す。ワイヤレスデバイス８００は、図１〜図７を参照しながら説明したワイヤレスデバイス７００またはＵＥ１１５の態様の一例であり得る。ワイヤレスデバイス８００は、受信機７０５−ａ、ｅＣＣ電力制御モジュール７１０−ａ、または送信機７１５−ａを含み得る。ワイヤレスデバイス８００はまた、プロセッサを含み得る。これらの構成要素の各々は互いと通信していることがある。ｅＣＣ電力制御モジュール７１０−ａはまた、ＣＡ構成モジュール８０５と、電力制御（ＰＣ）構成モジュール８１０と、送信電力コントローラ８１５とを含み得る。
【００８０】
[0091]受信機７０５−ａは、ｅＣＣ電力制御モジュール７１０−ａに、およびワイヤレスデバイス８００の他の構成要素に受け渡され得る情報を受信し得る。ｅＣＣ電力制御モジュール７１０−ａは、図７を参照しながら本明細書で説明した動作を実施し得る。送信機７１５−ａは、ワイヤレスデバイス８００の他の構成要素から受信された信号を送信し得る。
【００８１】
[0092]ＣＡ構成モジュール８０５は、図２〜図６を参照しながら本明細書で説明したように、第１のＴＴＩ長さをもつ第１のキャリアと、第１のＴＴＩ長さよりも小さい第２のＴＴＩ長さをもつ第２のキャリアとを含むＣＡ構成を決定し得る。ＣＡ構成は、電力制御構成または電力ヘッドルーム報告構成を含み得る。いくつかの例では、第１のキャリアはＰＣｅｌｌであり得、第２のキャリアはｅＣＣセルであり得る。いくつかの例では、第１のＴＴＩはＬＴＥサブフレームであり得、第２のＴＴＩはＬＴＥシンボル期間であり得る。
【００８２】
[0093]ＰＣ構成モジュール８１０は、図２〜図６を参照しながら本明細書で説明したように、第１のキャリアと第２のキャリアとに基づいて電力制御構成を決定し得る。いくつかの例では、電力制御構成は、第２のキャリア上のトラフィックタイプまたはトラフィック量に基づき得る。ＰＣ構成モジュール８１０はまた、第２のキャリアのための電力レベルを識別し得る。いくつかの例では、識別された電力レベルは、第２のキャリアのためのＵＬ許可に基づき得る。いくつかの例では、電力制御構成は、第２のキャリア上のトラフィックタイプまたはトラフィック量に基づき得る。
【００８３】
[0094]送信電力コントローラ８１５は、図２〜図６を参照しながら本明細書で説明したように、第１のＴＴＩ長さの第１のＴＴＩ中の第１のキャリアのための送信電力レベルを選択し得る。送信電力コントローラ８１５はまた、第２のＴＴＩ長さの第２のＴＴＩ中の第２のキャリアのための送信電力レベルを選択し得る。第１のＴＴＩは第２のＴＴＩと重複し得る。第２のキャリアのための送信電力レベルは、電力制御構成と、第１のキャリアのための送信電力レベルとに基づき得る。いくつかの例では、第１のキャリアのための送信電力レベルを選択することは、電力制御構成に基づいて第１のキャリアのための送信電力レベルを低減することを含む。いくつかの例では、第２のキャリアのための送信電力レベルは、第１のキャリアのための送信電力レベルを低減することによって利用可能にされた電力を利用することに基づいて選択され得る。
【００８４】
[0095]図９は、本開示の様々な態様による、ｅＣＣをもつＣＡのための電力制御および電力ヘッドルーム報告のためのワイヤレスデバイス７００またはワイヤレスデバイス８００の構成要素であり得るｅＣＣ電力制御モジュール７１０−ｂのブロック図９００を示す。ｅＣＣ電力制御モジュール７１０−ｂは、図７〜図８を参照しながら説明したｅＣＣ電力制御モジュール７１０の態様の一例であり得る。ｅＣＣ電力制御モジュール７１０−ｂは、ＣＡ構成モジュール８０５−ａと、ＰＣ構成モジュール８１０−ａと、送信電力コントローラ８１５−ａとを含み得る。これらのモジュールの各々は、図８を参照しながら本明細書で説明した機能を実施し得る。ｅＣＣ電力制御モジュール７１０−ｂはまた、電力予約モジュール９０５と、電力補償モジュール９１０と、優先度付けモジュール９１５と、電力ヘッドルームモジュール９２０と、仮想電力モジュール９２５とを含み得る。
【００８５】
[0096]電力予約モジュール９０５は、第２のキャリアのための予約された電力レベルを識別し得る。したがって、第１のキャリアのための送信電力レベルを低減することは、図２〜図６を参照しながら本明細書で説明したように、予約された電力レベルに基づき得る。
【００８６】
[0097]電力補償モジュール９１０は、第１のキャリアのための送信電力レベルを低減することが、第１のＴＴＩの少なくとも１つの第２のシンボル期間中の第１のキャリアのための送信電力レベルよりも小さくなり得る、第１のＴＴＩの少なくとも１つのシンボル期間中の第１のキャリアのための送信電力レベルを選択することを含み得るように構成され得る。少なくとも１つのシンボル期間中の第１のキャリアのための送信電力レベルは、図２〜図６を参照しながら本明細書で説明したように、電力制御構成と、第２のＴＴＩ中の第２のキャリアのための送信電力レベルとに基づき得る。
【００８７】
[0098]優先度付けモジュール９１５は、送信における情報、情報レイヤ、または信号タイプに基づいて優先度付けルールのセットを識別し得る。したがって、電力制御構成を決定することは、図２〜図６を参照しながら本明細書で説明したように、優先度付けルールのセットに基づき得る。いくつかの例では、優先度付けルールのセットは、ＰＣｅｌｌに関してＵＣＩを含んでいるシンボルに優先度付けするルールを含む。いくつかの例では、優先度付けルールのセットは、ＰＵＳＣＨ  ｅＣＣシンボルよりもＰＣｅｌｌ  ＤＭ−ＲＳ送信に優先度付けするルールを含む。いくつかの例では、優先度付けルールのセットは、ＰＣｅｌｌ  ＳＲＳ送信よりもｅＣＣ  ＰＵＳＣＨシンボルに優先度付けするルールを含む。
【００８８】
[0099]電力ヘッドルームモジュール９２０は、図２〜図６を参照しながら本明細書で説明したように、識別された電力レベルに基づいて第２のキャリアのための電力ヘッドルーム報告を送信し得る。電力ヘッドルームモジュール９２０はまた、いくつかの電力ヘッドルームフォーマットから電力ヘッドルーム報告フォーマットを選択し得る。場合によっては、電力ヘッドルーム報告は電力ヘッドルームフォーマットに基づく。いくつかの例では、これらのいくつかの電力ヘッドルームフォーマットは、仮想電力レベルに基づく少なくとも１つの第１のフォーマットと、ＵＬ許可に基づく少なくとも１つの第２のフォーマットとを含む。
【００８９】
[0100]仮想電力モジュール９２５は、図２〜図６を参照しながら本明細書で説明したように、識別された電力レベルが仮想電力レベルであり得るように構成され得る。
【００９０】
[0101]図１０は、本開示の様々な態様による、ｅＣＣをもつＣＡのための電力制御および電力ヘッドルーム報告のために構成されたＵＥ１１５を含むシステム１０００の図を示す。システム１０００は、図１、図２および図７〜図９を参照しながら本明細書で説明したワイヤレスデバイス７００、ワイヤレスデバイス８００、またはＵＥ１１５の一例であり得る、ＵＥ１１５−ｃを含み得る。ＵＥ１１５−ｃは、図７〜図９を参照しながら説明したｅＣＣ電力制御モジュール７１０の一例であり得る、ｅＣＣ電力制御モジュール１０１０を含み得る。ＵＥ１１５−ｃはまた、ｅＣＣモジュール１０２５を含み得る。ＵＥ１１５−ｃはまた、通信を送信するための構成要素と通信を受信するための構成要素とを含む、双方向音声およびデータ通信のための構成要素を含み得る。たとえば、ＵＥ１１５−ｃは、基地局１０５−ｃまたはＵＥ１１５−ｄと双方向に通信し得る。
【００９１】
[0102]ｅＣＣモジュール１０２５は、ｅＣＣを介したＵＥ１１５の通信を協調させ得る。たとえば、ｅＣＣモジュール１０２５は、本明細書で説明するように、フレキシブルな帯域幅、可変長ＴＴＩ、および修正された制御チャネル構成を含む特徴に基づく通信を可能にし得る。
【００９２】
[0103]ＵＥ１１５−ｃはまた、プロセッサ１００５と、（ソフトウェア（ＳＷ）１０２０を含む）メモリ１０１５と、トランシーバ１０３５と、１つまたは複数のアンテナ１０４０とを含み得、それらの各々は、（たとえば、バス１０４５を介して）互いに直接または間接的に通信し得る。トランシーバ１０３５は、上記で説明したように、アンテナ１０４０あるいはワイヤードリンクまたはワイヤレスリンクを介して、１つまたは複数のネットワークと双方向に通信し得る。たとえば、トランシーバ１０３５は、基地局１０５または別のＵＥ１１５と双方向に通信し得る。トランシーバ１０３５は、パケットを変調し、変調されたパケットを送信のためにアンテナ１０４０に与え、アンテナ１０４０から受信されたパケットを復調するためのモデムを含み得る。ＵＥ１１５−ｃは単一のアンテナ１０４０を含み得るが、ＵＥ１１５−ｃはまた、複数のワイヤレス送信を同時に送信または受信することが可能な複数のアンテナ１０４０を有し得る。
【００９３】
[0104]メモリ１０１５は、ランダムアクセスメモリ（ＲＡＭ）と読取り専用メモリ（ＲＯＭ）とを含み得る。メモリ１０１５は、実行されたとき、本明細書で説明する様々な機能（たとえば、ｅＣＣにおける電力制御および電力ヘッドルームなど）をプロセッサ１００５に実施させる命令を含む、コンピュータ可読、コンピュータ実行可能ソフトウェア／ファームウェアコード１０２０を記憶し得る。代替的に、ソフトウェア／ファームウェアコード１０２０は、プロセッサ１００５によって直接的に実行可能でないことがあるが、（たとえば、コンパイルされ実行されたとき）コンピュータに本明細書で説明する機能を実施させ得る。プロセッサ１００５は、インテリジェントハードウェアデバイス（たとえば、中央処理ユニット（ＣＰＵ）、マイクロコントローラ、特定用途向け集積回路（ＡＳＩＣ）など）を含み得る。
【００９４】
[0105]図１１は、本開示の様々な態様による、ｅＣＣをもつＣＡのための電力制御および電力ヘッドルーム報告のために構成されたワイヤレスデバイス１１００のブロック図を示す。ワイヤレスデバイス１１００は、図１〜図１０を参照しながら説明した基地局１０５の態様の一例であり得る。ワイヤレスデバイス１１００は、受信機１１０５、基地局ｅＣＣ電力制御モジュール１１１０、または送信機１１１５を含み得る。ワイヤレスデバイス１１００はまた、プロセッサを含み得る。これらの構成要素の各々は互いと通信していることがある。
【００９５】
[0106]受信機１１０５は、パケット、ユーザデータ、または様々な情報チャネルに関連する制御情報（たとえば、制御チャネル、データチャネル、ならびにｅＣＣにおける電力制御および電力ヘッドルームに関係する情報など）などの情報を受信し得る。情報は、基地局ｅＣＣ電力制御モジュール１１１０に、およびワイヤレスデバイス１１００の他の構成要素に受け渡され得る。いくつかの例では、受信機１１０５は、電力ヘッドルーム報告構成に基づいてＰＨＲを受信し得る。
【００９６】
[0107]基地局ｅＣＣ電力制御モジュール１１１０は、第１のＴＴＩ長さをもつ第１のキャリアと、第１のＴＴＩ長さよりも小さい第２のＴＴＩ長さをもつ第２のキャリアとを含むワイヤレスデバイスのためのキャリアアグリゲーション構成を決定し得る。基地局ｅＣＣ電力制御モジュール１１１０は、第１のキャリアと第２のキャリアとに基づいてワイヤレスデバイスのための電力制御構成を決定し得る。基地局ｅＣＣ電力制御モジュール１１１０はまた、送信における情報、情報レイヤ、または信号タイプに基づいて優先度付けルールのセットを決定する。したがって、電力制御構成を決定することは、優先度付けルールのセットに基づき得る。基地局ｅＣＣ電力制御モジュール１１１０はまた、優先度付けルールに基づいての上でワイヤレスデバイスのための送信をスケジュールし得る。
【００９７】
[0108]送信機１１１５は、ワイヤレスデバイス１１００の他の構成要素から受信された信号を送信し得る。いくつかの例では、送信機１１１５は、トランシーバモジュール中で受信機１１０５とコロケートされ得る。送信機１１１５は、単一のアンテナを含み得るか、または複数のアンテナを含み得る。
【００９８】
[0109]図１２は、本開示の様々な態様による、ｅＣＣをもつＣＡのための電力制御および電力ヘッドルーム報告のためのワイヤレスデバイス１２００のブロック図を示す。ワイヤレスデバイス１２００は、図１〜図１１を参照しながら説明したワイヤレスデバイス１１００または基地局１０５の態様の一例であり得る。ワイヤレスデバイス１２００は、受信機１１０５−ａ、基地局ｅＣＣ電力制御モジュール１１１０−ａ、または送信機１１１５−ａを含み得る。ワイヤレスデバイス１２００はまた、プロセッサを含み得る。これらの構成要素の各々は互いと通信していることがある。基地局ｅＣＣ電力制御モジュール１１１０−ａはまた、基地局（ＢＳ）ＣＡ構成モジュール１２０５と、ＢＳ  ＰＣ構成モジュール１２１０と、ＢＳ優先度付けモジュール１２１５と、スケジューラ１２２０と、ＰＨ（電力ヘッドルーム）構成モジュール１２２５とを含み得る。
【００９９】
[0110]受信機１１０５−ａは、基地局ｅＣＣ電力制御モジュール１１１０−ａに、およびワイヤレスデバイス１２００の他の構成要素に受け渡され得る情報を受信し得る。基地局ｅＣＣ電力制御モジュール１１１０−ａは、図１１を参照しながら本明細書で説明した動作を実施し得る。送信機１１１５−ａは、ワイヤレスデバイス１２００の他の構成要素から受信された信号を送信し得る。
【０１００】
[0111]ＢＳ  ＣＡ構成モジュール１２０５は、図２〜図６を参照しながら本明細書で説明したように、第１のＴＴＩ長さをもつ第１のキャリアと、第１のＴＴＩ長さとは異なる（たとえば、それよりも小さい）第２のＴＴＩ長さをもつ第２のキャリアとを含むワイヤレスデバイスのためのＣＡ構成を決定し得る。
【０１０１】
[0112]ＢＳ  ＰＣ構成モジュール１２１０は、図２〜図６を参照しながら本明細書で説明したように、第１のキャリアと第２のキャリアとに基づいてワイヤレスデバイスのための電力制御構成を決定し得る。
【０１０２】
[0113]ＢＳ優先度付けモジュール１２１５は、送信における情報、情報レイヤ、または信号タイプに基づいて優先度付けルールのセットを決定し得る。したがって、電力制御構成を決定することは、図２〜図６を参照しながら本明細書で説明したように、優先度付けルールのセットに基づき得る。
【０１０３】
[0114]スケジューラ１２２０は、図２〜図６を参照しながら本明細書で説明したように、優先度付けルールに基づいての上でワイヤレスデバイスのための送信をスケジュールし得る。
【０１０４】
[0115]ＰＨ構成モジュール１２２５は、図２〜図６を参照しながら本明細書で説明したように、仮想電力レベルに基づく少なくとも１つの第１のフォーマット、ＵＬ許可に基づく少なくとも１つの第２のフォーマット、または両方を含む電力ヘッドルーム報告構成でワイヤレスデバイスを構成し得る。
【０１０５】
[0116]図１３は、本開示の様々な態様による、ｅＣＣをもつＣＡのための電力制御および電力ヘッドルーム報告のためのワイヤレスデバイス１１００またはワイヤレスデバイス１２００の構成要素であり得る基地局ｅＣＣ電力制御モジュール１１１０−ｂのブロック図１３００を示す。基地局ｅＣＣ電力制御モジュール１１１０−ｂは、図１１〜図１２を参照しながら説明した基地局ｅＣＣ電力制御モジュール１１１０の態様の一例であり得る。基地局ｅＣＣ電力制御モジュール１１１０−ｂは、ＢＳ  ＣＡ構成モジュール１２０５−ａと、ＢＳ  ＰＣ構成モジュール１２１０−ａと、ＢＳ優先度付けモジュール１２１５−ａと、スケジューラ１２２０−ａと、ＰＨ構成モジュール１２２５−ａとを含み得る。これらのモジュールの各々は、図１２を参照しながら本明細書で説明した機能を実施し得る。基地局ｅＣＣ電力制御モジュール１１１０−ｂはまた、ｅＣＣ構成モジュール１３０５を含み得るおよび。
【０１０６】
[0117]ｅＣＣ構成モジュール１３０５は、図２〜図６を参照しながら本明細書で説明したように、第１のキャリアがＰＣｅｌｌであり得、第２のキャリアが、ｅＣＣ動作のために構成されたｅＣＣセルであり得るように構成され得る。
【０１０７】
[0118]図１４は、本開示の様々な態様による、ｅＣＣをもつＣＡのための電力制御および電力ヘッドルーム報告のために構成された基地局１０５を含むシステム１４００の図を示す。システム１４００は、図１、図２、および図１１〜図１３を参照しながら本明細書で説明したワイヤレスデバイス１１００、ワイヤレスデバイス１２００、または基地局１０５の一例であり得る、基地局１０５−ｄを含み得る。基地局１０５−ｄは、図１１〜図１３を参照しながら説明した基地局ｅＣＣ電力制御モジュール１１１０の一例であり得る、基地局ｅＣＣ電力制御モジュール１４１０を含み得る。基地局１０５−ｄはまた、通信を送信するための構成要素と通信を受信するための構成要素とを含む、双方向音声およびデータ通信のための構成要素を含み得る。たとえば、基地局１０５−ｄは、ＵＥ１１５−ｅまたはＵＥ１１５−ｆと双方向に通信し得る。
【０１０８】
[0119]場合によっては、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなどの他の基地局１０５と通信し得る。基地局１０５の各々は、同じまたは異なるワイヤレス通信技術を使用してＵＥ１１５と通信し得る。場合によっては、基地局１０５−ｄは、基地局通信モジュール１４２５を利用して１０５−ｅまたは１０５−ｆなどの他の基地局と通信し得る。いくつかの例では、基地局通信モジュール１４２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０を通して他の基地局と通信し得る。場合によっては、基地局１０５−ｄは、ネットワーク通信モジュール１４３０を通してコアネットワーク１３０と通信し得る。
【０１０９】
[0120]基地局１０５−ｄは、プロセッサ１４０５と、（ソフトウェア（ＳＷ）１４２０を含む）メモリ１４１５と、トランシーバ１４３５と、アンテナ１４４０とを含み得、それらの各々は、（たとえば、バスシステム１４４５を介して）互いと直接または間接的に通信していることがある。トランシーバ１４３５は、アンテナ１４４０を介して、マルチモードデバイスであり得るＵＥ１１５と双方向に通信するように構成され得る。トランシーバ１４３５（または基地局１０５−ｄの他の構成要素）はまた、アンテナ１４４０を介して、１つまたは複数の他の基地局（図示せず）と双方向に通信するように構成され得る。トランシーバ１４３５は、パケットを変調し、変調されたパケットを送信のためにアンテナ１４４０に与え、アンテナ１４４０から受信されたパケットを復調するように構成されたモデムを含み得る。基地局１０５−ｄは、各々が１つまたは複数の関連するアンテナ１４４０をもつ、複数のトランシーバ１４３５を含み得る。トランシーバは、図１１の組み合わされた受信機１１０５と送信機１１１５との一例であり得る。
【０１１０】
[0121]メモリ１４１５はＲＡＭとＲＯＭとを含み得る。メモリ１４１５はまた、実行されたとき、本明細書で説明する様々な機能（たとえば、ｅＣＣにおける電力制御および電力ヘッドルーム、選択カバレージ拡張技法、呼処理、データベース管理、メッセージルーティングなど）をプロセッサ１４１０に実施させるように構成された命令を含んでいる、コンピュータ可読、コンピュータ実行可能ソフトウェアコード１４２０を記憶し得る。代替的に、ソフトウェア１４２０は、プロセッサ１４０５によって直接的に実行可能でないが、（たとえば、コンパイルされ実行されたとき）コンピュータに本明細書で説明する機能を実施させるように構成され得る。プロセッサ１４０５は、インテリジェントハードウェアデバイス（たとえば、ＣＰＵ、マイクロコントローラ、ＡＳＩＣなど）を含み得る。プロセッサ１４０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１１１】
[0122]基地局通信モジュール１４２５は、他の基地局１０５との通信を管理し得る。通信管理モジュールは、他の基地局１０５と協働してＵＥ１１５との通信を制御するためのコントローラまたはスケジューラを含み得る。たとえば、基地局通信モジュール１４２５は、ビームフォーミングまたはジョイント送信などの様々な干渉緩和技法のためのＵＥ１１５への送信のためのスケジューリングを協調させ得る。
【０１１２】
[0123]ワイヤレスデバイス７００、ワイヤレスデバイス８００、ｅＣＣ電力制御モジュール７１０、システム１０００、ワイヤレスデバイス１１００、ワイヤレスデバイス１２００、基地局ｅＣＣ電力制御モジュール１１１０またはシステム１４００の構成要素は、ハードウェアで適用可能な機能の一部または全部を実施するように適応された少なくとも１つのＡＳＩＣを用いて、個々にまたはまとめて実装され得る。代替的に、それらの機能は、少なくとも１つの集積回路（ＩＣ）上で、１つまたは複数の他の処理ユニット（またはコア）によって実施され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ中に組み込まれた命令を用いて実装され得る。
【０１１３】
[0124]図１５は、本開示の様々な態様による、ｅＣＣをもつＣＡのための電力制御および電力ヘッドルーム報告のための方法１５００を示すフローチャートを示す。方法１５００の動作は、図１〜図１４を参照しながら説明したように、ＵＥ１１５またはそれの構成要素によって実装され得る。たとえば、方法１５００の動作は、図７〜図１０を参照しながら説明したように、ｅＣＣ電力制御モジュール７１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する態様機能を実施し得る。
【０１１４】
[0125]ブロック１５０５において、ＵＥ１１５は、図２〜図６を参照しながら本明細書で説明したように、第１のＴＴＩ長さをもつ第１のキャリアと、第１のＴＴＩ長さよりも小さい第２のＴＴＩ長さをもつ第２のキャリアと、電力制御構成とを含むＣＡ構成を受信し得る。いくつかの例では、ブロック１５０５の動作は、図８を参照しながら本明細書で説明したように、ＣＡ構成モジュール８０５によって実施され得る。
【０１１５】
[0126]ブロック１５１０において、ＵＥ１１５は、図２〜図６を参照しながら本明細書で説明したように、第１のＴＴＩ長さの第１のＴＴＩ中の第１のキャリアのための第１の送信電力レベルを図．図選択し得る。いくつかの例では、ブロック１５１５の動作は、図８を参照しながら本明細書で説明したように、送信電力コントローラ８１５によって実施され得る。
【０１１６】
[0127]ブロック１５１５において、ＵＥ１１５は、第２のＴＴＩ長さの第２のＴＴＩ中の第２のキャリアのための第２の送信電力レベルを選択し得る。第１のＴＴＩは第２のＴＴＩと重複し得る。第２の送信電力レベルは、図２〜図６を参照しながら本明細書で説明したように、電力制御構成と第１の送信電力レベルとに基づき得る。いくつかの例では、ブロック１５１５の動作は、図８を参照しながら本明細書で説明したように、送信電力コントローラ８１５によって実施され得る。
【０１１７】
[0128]ブロック１５２０において、ＵＥ１１５は、図２〜図６を参照しながら本明細書で説明したように、第１の送信電力レベルに少なくとも部分的に基づいて第１のキャリア上で送信し得る。ＵＥはまた、図２〜図６を参照しながら本明細書で説明したように、第２の送信電力レベルに少なくとも部分的に基づいて第２のキャリア上で送信し得る。いくつかの例では、ブロック１５２０の動作は、図７〜図８を参照しながら本明細書で説明したように、送信機７１５によって実施され得る。
【０１１８】
[0129]図１６は、本開示の様々な態様による、ｅＣＣをもつＣＡのための電力制御および電力ヘッドルーム報告のための方法１６００を示すフローチャートを示す。方法１６００の動作は、図１〜図１４を参照しながら説明したように、ＵＥ１１５またはそれの構成要素によって実装され得る。たとえば、方法１６００の動作は、図７〜図１０を参照しながら説明したように、ｅＣＣ電力制御モジュール７１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する態様機能を実施し得る。方法１６００はまた、図１５の方法１５００の態様を組み込み得る。
【０１１９】
[0130]ブロック１６０５において、ＵＥ１１５は、図２〜図６を参照しながら本明細書で説明したように、第１のＴＴＩ長さをもつ第１のキャリアと、第１のＴＴＩ長さよりも小さい第２のＴＴＩ長さをもつ第２のキャリアと、電力ヘッドルーム報告構成とを含むＣＡ構成を決定し得る。いくつかの例では、ブロック１６０５の動作は、図８を参照しながら本明細書で説明したように、ＣＡ構成モジュール８０５によって実施され得る。
【０１２０】
[0131]ブロック１６１０において、ＵＥ１１５は、図２〜図６を参照しながら本明細書で説明したように、第２のキャリアのための電力レベルを識別し得る。いくつかの例では、ブロック１６１０の動作は、図８を参照しながら本明細書で説明したように、ＰＣ構成モジュール８１０によって実施され得る。
【０１２１】
[0132]ブロック１６１５において、ＵＥ１１５は、図２〜図６を参照しながら本明細書で説明したように、識別された電力レベルと電力ヘッドルーム報告構成とに基づいて第２のキャリアのためのＰＨＲを送信し得る。いくつかの例では、ブロック１６１５の動作は、図９を参照しながら本明細書で説明したように、電力ヘッドルームモジュール９２０によって実施され得る。
【０１２２】
[0133]図１７は、本開示の様々な態様による、ｅＣＣをもつＣＡのための電力制御および電力ヘッドルーム報告のための方法１７００を示すフローチャートを示す。方法１７００の動作は、図１〜図１４を参照しながら説明したように、基地局１０５またはそれの構成要素によって実装され得る。たとえば、方法１７００の動作は、図１１〜図１４を参照しながら説明したように、基地局ｅＣＣ電力制御モジュール１１１０によって実施され得る。いくつかの例では、基地局１０５は、以下で説明する機能を実施するように基地局１０５の機能要素を制御するためのコードのセットを実行し得る。追加または代替として、基地局１０５は、専用ハードウェアを使用して、以下で説明する態様機能を実施し得る。方法１７００はまた、図１５〜図１６の方法１５００、および１６００の態様を組み込み得る。
【０１２３】
[0134]ブロック１７０５において、基地局１０５は、図２〜図６を参照しながら本明細書で説明したように、第１のＴＴＩ長さをもつ第１のキャリアと、第１のＴＴＩ長さよりも小さい第２のＴＴＩ長さをもつ第２のキャリアとを含むワイヤレスデバイスのためのキャリアアグリゲーション構成を決定し得る。いくつかの例では、ブロック１７０５の動作は、図１２を参照しながら本明細書で説明したように、ＢＳ  ＣＡ構成モジュール１２０５によって実施され得る。
【０１２４】
[0135]ブロック１７１０において、基地局１０５は、送信における情報、情報レイヤまたは信号タイプに基づいて優先度付けルールのセットを決定し得る。したがって、電力制御構成を決定することは、図２〜図６を参照しながら本明細書で説明したように、優先度付けルールのセットに基づき得る。いくつかの例では、ブロック１７１０の動作は、図１２を参照しながら本明細書で説明したように、ＢＳ優先度付けモジュール１２１５によって実施され得る。
【０１２５】
[0136]ブロック１７１５において、基地局１０５は、図２〜図６を参照しながら本明細書で説明したように、第１のキャリアと、第２のキャリアと、優先度付けルールのセットとに基づいてワイヤレスデバイスのための電力制御構成を決定し得る。いくつかの例では、ブロック１７１５の動作は、図１２を参照しながら本明細書で説明したように、ＢＳ  ＰＣ構成モジュール１２１０によって実施され得る。
【０１２６】
[0137]ブロック１７２０において、基地局１０５は、図２〜図６を参照しながら本明細書で説明したように、優先度付けルールに基づいての上でワイヤレスデバイスのための送信をスケジュールし得る。いくつかの例では、ブロック１７２０の動作は、図１２を参照しながら本明細書で説明したように、スケジューラ１２２０によって実施され得る。
【０１２７】
[0138]図１８は、本開示の様々な態様による、ｅＣＣをもつＣＡのための電力制御および電力ヘッドルーム報告のための方法１８００を示すフローチャートを示す。方法１８００の動作は、図１〜図１４を参照しながら説明したように、基地局１０５またはそれの構成要素によって実装され得る。たとえば、方法１８００の動作は、図１１〜図１４を参照しながら説明したように、基地局ｅＣＣ電力制御モジュール１１１０によって実施され得る。いくつかの例では、基地局１０５は、以下で説明する機能を実施するように基地局１０５の機能要素を制御するためのコードのセットを実行し得る。追加または代替として、基地局１０５は、専用ハードウェアを使用して、以下で説明する態様機能を実行し得る。方法１８００はまた、図１５〜図１７の方法１５００、１６００、および１７００の態様を組み込み得る。
【０１２８】
[0139]ブロック１８０５において、基地局１０５は、図２〜図６を参照しながら本明細書で説明したように、第１のＴＴＩ長さをもつ第１のキャリアと、第１のＴＴＩ長さよりも小さい第２のＴＴＩ長さをもつ第２のキャリアとを含むＣＡ構成を決定し得る。いくつかの例では、ブロック１８０５の動作は、図８を参照しながら本明細書で説明したように、ＣＡ構成モジュール８０５によって実施され得る。
【０１２９】
[0140]ブロック１８１０において、基地局１０５は、図２〜図６を参照しながら本明細書で説明したように、仮想電力レベルに基づく少なくとも１つの第１のフォーマット、ＵＬ許可に基づく少なくとも１つの第２のフォーマット、または両方を含む電力ヘッドルーム報告構成でワイヤレスデバイスを構成し得る。いくつかの例では、ブロック１８１０の動作は、図１２を参照しながら本明細書で説明したように、ＰＨ構成モジュール１２２５によって実施され得る。
【０１３０】
[0141]ブロック１８１５において、基地局１０５は、図２〜図６を参照しながら本明細書で説明したように、電力ヘッドルーム報告構成に基づいてＰＨＲを受信し得る。いくつかの例では、ブロック１８１５の動作は、図１１を参照しながら本明細書で説明したように、受信機１１０５によって実施され得る。
【０１３１】
[0142]このようにして、方法１５００、１６００、１７００、および１８００は、ｅＣＣにおける電力制御および電力ヘッドルームを提供し得る。方法１５００、１６００、１７００、および１８００は可能な実装形態を記載し、動作およびステップは、他の実装形態が可能であるように、並べ替えられるかまたは場合によっては修正され得ることに留意されたい。いくつかの例では、方法１５００、１６００、１７００、および１８００のうちの２つ以上からの態様が組み合わされ得る。
【０１３２】
[0143]本明細書の説明は、例を与えるものであり、特許請求の範囲に記載される範囲、適用性、または例を限定するものではない。本開示の範囲から逸脱することなく、説明した要素の機能および構成において変更が行われ得る。様々な例は、適宜に、様々な手順または構成要素を省略、置換、または追加し得る。たとえば、説明した方法は、説明した順序とは異なる順序で実施され得、様々なステップが追加され、省略され、または組み合わされ得る。また、いくつかの例に関して説明した特徴は、他の例において組み合わされ得る。
【０１３３】
[0144]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。第３世代パートナーシッププロジェクト（３ＧＰＰ（登録商標））ＬＴＥおよびＬＴＥ−Ａは、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびＧＳＭは、３ＧＰＰと称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上述のシステムおよび無線技術ならびに他のシステムおよび無線技術に使用され得る。しかしながら、本明細書の説明は、例としてＬＴＥシステムを説明し、上記の説明の大部分においてＬＴＥ用語が使用されるが、本技法はＬＴＥの適用例以外に適用可能である。
【０１３４】
[0145]本明細書で説明したようなネットワークを含む、ＬＴＥ／ＬＴＥ−Ａネットワークでは、発展型ノードＢ（ｅＮＢ）という用語は、基地局について説明するために概して使用され得る。本明細書で説明した１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアもしくはコンポーネントキャリア、またはキャリアもしくは基地局のカバレージエリア（たとえば、セクタなど）について説明するために使用され得る３ＧＰＰ用語である。
【０１３５】
[0146]基地局は、基地トランシーバ局、無線基地局、アクセスポイント、無線トランシーバ、ノードＢ、ｅノードＢ、ｅＮＢ、ホームノードＢ、ホームｅノードＢ、またはいくつかの他の適切な用語を含むか、あるいは当業者によってそれらで呼ばれることがある。基地局のための地理的カバレージエリアは、カバレージエリアの一部分のみを構成するセクタに分割され得る。本明細書で説明する１つまたは複数のワイヤレス通信システムは、異なるタイプの基地局（たとえば、マクロセル基地局またはスモールセル基地局）を含み得る。本明細書で説明するＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１３６】
[0147]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。また、フェムトセルは、小さい地理的エリア（たとえば、自宅）をカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１３７】
[0148]本明細書で説明する１つまたは複数のワイヤレス通信システムは、同期動作または非同期動作をサポートし得る。同期動作の場合、基地局は同様のフレームタイミングを有し得、異なる基地局からの送信は時間的にほぼ整合され得る。非同期動作の場合、基地局は異なるフレームタイミングを有し得、異なる基地局からの送信は時間的に整合されないことがある。本明細書で説明する技法は、同期動作または非同期動作のいずれかのために使われ得る。
【０１３８】
[0149]本明細書で説明するダウンリンク送信は順方向リンク送信と呼ばれることもあり、アップリンク送信は逆方向リンク送信と呼ばれることもある。たとえば、図１および図２のシステム１００および２００を含む、本明細書で説明した各通信リンクは、１つまたは複数のキャリアを含み得、ここで、各キャリアは、複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。本明細書で説明した通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０１３９】
[0150]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明した技法の理解を与えるための具体的な詳細を含む。ただし、これらの技法は、これらの具体的な詳細なしに実施され得る。いくつかの事例では、説明する例の概念を不明瞭にすることを回避するために、よく知られている構造およびデバイスをブロック図の形式で示される。
【０１４０】
[0151]添付の図では、同様の構成要素または特徴は同じ参照ラベルを有し得る。さらに、同じタイプの様々な構成要素は、参照ラベルの後に、ダッシュと、同様の構成要素の間で区別する第２のラベルとを続けることによって区別され得る。第１の参照ラベルだけが本明細書において使用される場合、その説明は、第２の参照ラベルにかかわらず、同じ第１の参照ラベルを有する同様の構成要素のいずれにも適用可能である。
【０１４１】
[0152]本明細書で説明した情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１４２】
[0153]本明細書の開示に関して説明した様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、あるいは任意の他のそのような構成）として実装され得る。
【０１４３】
[0154]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実施する特徴はまた、異なる物理的位置において機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１４４】
[0155]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１４５】
[0156]本明細書の説明は、当業者が本開示を作成または使用することができるように提供される。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ユーザ機器（ＵＥ）におけるワイヤレス通信の方法であって、
第１の送信時間間隔（ＴＴＩ）長さをもつ第１のキャリアと、前記第１のＴＴＩ長さとは異なる第２のＴＴＩ長さをもつ第２のキャリアと、電力制御構成とを備えるキャリアアグリゲーション構成を受信することと、
前記第１のＴＴＩ長さの第１のＴＴＩ中の前記第１のキャリアのための第１の送信電力レベルを選択することと、
前記第２のＴＴＩ長さの第２のＴＴＩ中の前記第２のキャリアのための第２の送信電力レベルを選択することと、ここにおいて、前記第１のＴＴＩが前記第２のＴＴＩと重複し、前記第２の送信電力レベルが前記電力制御構成と前記第１の送信電力レベルとに少なくとも部分的に基づく、
前記第１の送信電力レベルに少なくとも部分的に基づいて前記第１のキャリア上で送信することと、
前記第２の送信電力レベルに少なくとも部分的に基づいて前記第２のキャリア上で送信することと
を備える、方法。
［Ｃ２］
前記第１の送信電力レベルを選択することが、
前記電力制御構成に少なくとも部分的に基づいて前記第１のキャリアのための送信電力レベルを低減すること
を備える、Ｃ１に記載の方法。
［Ｃ３］
前記第２のキャリアのための予約された電力レベルを識別すること、ここにおいて、前記第１のキャリアのための前記送信電力レベルを低減することが、前記予約された電力レベルに少なくとも部分的に基づく、
をさらに備える、Ｃ２に記載の方法。
［Ｃ４］
前記第２の送信電力レベルが、前記第１のキャリアのための前記送信電力レベルを低減することによって利用可能にされた電力を利用することに少なくとも部分的に基づいて選択される、Ｃ３に記載の方法。
［Ｃ５］
前記第１のキャリアのための前記送信電力レベルを低減することは、
前記第１のＴＴＩの少なくとも１つの第２のシンボル期間中の前記第１のキャリアのための送信電力レベルとは異なる、前記第１のＴＴＩの少なくとも１つのシンボル期間中の前記第１のキャリアのための送信電力レベルを選択すること、ここにおいて、前記少なくとも１つのシンボル期間中の前記第１のキャリアのための前記送信電力レベルが、前記電力制御構成と、前記第２のＴＴＩ中の前記第２のキャリアのための前記送信電力レベルとに少なくとも部分的に基づく、
を備える、Ｃ２に記載の方法。
［Ｃ６］
送信における情報、情報レイヤ、信号タイプ、またはそれらの任意の組合せに少なくとも部分的に基づいて優先度付けルールのセットを識別すること、ここにおいて、前記電力制御構成が優先度付けルールの前記セットに少なくとも部分的に基づく、
をさらに備える、Ｃ１に記載の方法。
［Ｃ７］
優先度付けルールの前記セットが、１次セル（ＰＣｅｌｌ）に関してアップリンク制御情報（ＵＣＩ）を含んでいるシンボルに優先度付けするルール、物理アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、Ｃ６に記載の方法。
［Ｃ８］
前記第１のＴＴＩがロングタームエボリューション（ＬＴＥ）サブフレームであり、前記第２のＴＴＩがＬＴＥシンボル期間である、Ｃ１に記載の方法。
［Ｃ９］
前記電力制御構成が前記第２のキャリア上のトラフィックタイプまたはトラフィック量に少なくとも部分的に基づく、Ｃ１に記載の方法。
［Ｃ１０］
ユーザ機器（ＵＥ）によるワイヤレス通信の方法であって、
第１の送信時間間隔（ＴＴＩ）長さをもつ第１のキャリアと、前記第１のＴＴＩ長さとは異なる第２のＴＴＩ長さをもつ第２のキャリアと、電力ヘッドルーム報告構成とを備えるキャリアアグリゲーション構成を受信することと、
前記第２のキャリアのための電力レベルを識別することと、
前記識別された電力レベルと前記電力ヘッドルーム報告構成とに少なくとも部分的に基づいて前記第２のキャリアのための電力ヘッドルーム報告を送信することと
を備える、方法。
［Ｃ１１］
前記識別された電力レベルが仮想電力レベルである、Ｃ１０に記載の方法。
［Ｃ１２］
前記識別された電力レベルが前記第２のキャリアのためのアップリンク（ＵＬ）許可に少なくとも部分的に基づく、Ｃ１０に記載の方法。
［Ｃ１３］
前記電力ヘッドルーム報告構成の複数の電力ヘッドルームフォーマットから電力ヘッドルーム報告フォーマットを選択すること、ここにおいて、前記電力ヘッドルーム報告を送信することが、前記選択された電力ヘッドルームフォーマットに少なくとも部分的に基づく、
をさらに備える、Ｃ１０に記載の方法。
［Ｃ１４］
前記複数の電力ヘッドルームフォーマットが、仮想電力レベルに少なくとも部分的に基づく少なくとも１つの第１のフォーマットと、アップリンク（ＵＬ）許可に少なくとも部分的に基づく少なくとも１つの第２のフォーマットとを備える、Ｃ１３に記載の方法。
［Ｃ１５］
基地局によるワイヤレス通信の方法であって、
第１の送信時間間隔（ＴＴＩ）長さをもつ第１のキャリアと、前記第１のＴＴＩ長さとは異なる第２のＴＴＩ長さをもつ第２のキャリアとを備えるワイヤレスデバイスのためのキャリアアグリゲーション構成を決定することと、
前記第１のキャリアと前記第２のキャリアとに少なくとも部分的に基づいて前記ワイヤレスデバイスのための電力制御構成を決定することと、
送信における情報、情報レイヤ、信号タイプ、またはそれらの任意の組合せに少なくとも部分的に基づいて優先度付けルールのセットを決定することと、ここにおいて、前記電力制御構成を決定することが、優先度付けルールの前記セットに少なくとも部分的に基づく、
優先度付けルールの前記セットに少なくとも部分的に基づいて前記ワイヤレスデバイスのための送信をスケジュールすることと
を備える、方法。
［Ｃ１６］
優先度付けルールの前記セットが、１次セル（ＰＣｅｌｌ）に関してアップリンク制御情報（ＵＣＩ）を含んでいるシンボルに優先度付けするルール、物理アップリンク共有チャネル（ＰＵＳＣＨ）拡張コンポーネントキャリア（ｅＣＣ）シンボルをよりもＰＣｅｌｌ復調基準信号（ＤＭ−ＲＳ）送信に優先度付けするルール、またはＰＣｅｌｌサウンディング基準信号（ＳＲＳ）送信をよりもｅＣＣ  ＰＵＳＣＨシンボルに優先度付けするルールを備える、Ｃ１５に記載の方法。
［Ｃ１７］
前記電力制御構成が前記第２のキャリア上のトラフィックタイプまたはトラフィック量に少なくとも部分的に基づく、Ｃ１５に記載の方法。
［Ｃ１８］
基地局によるワイヤレス通信の方法であって、
第１の送信時間間隔（ＴＴＩ）長さをもつ第１のキャリアと、前記第１のＴＴＩ長さとは異なる第２のＴＴＩ長さをもつ第２のキャリアとを備えるキャリアアグリゲーション構成を決定することと、
仮想電力レベルに少なくとも部分的に基づく少なくとも１つの第１のフォーマット、アップリンク（ＵＬ）許可に少なくとも部分的に基づく少なくとも１つの第２のフォーマット、または両方を備える電力ヘッドルーム報告構成でワイヤレスデバイスを構成することと、
前記電力ヘッドルーム報告構成に少なくとも部分的に基づいて電力ヘッドルーム報告を受信することと
を備える、方法。
［Ｃ１９］
ワイヤレス通信のための装置であって、
第１の送信時間間隔（ＴＴＩ）長さをもつ第１のキャリアと、前記第１のＴＴＩ長さとは異なる第２のＴＴＩ長さをもつ第２のキャリアと、電力制御構成とを備えるキャリアアグリゲーション構成を決定するための手段と、
前記第１のＴＴＩ長さの第１のＴＴＩ中の前記第１のキャリアのための第１の送信電力レベルを選択するための手段と、
前記第２のＴＴＩ長さの第２のＴＴＩ中の前記第２のキャリアのための第２の送信電力レベルを選択するための手段と、ここにおいて、前記第１のＴＴＩが前記第２のＴＴＩと重複し、前記第２の送信電力レベルが前記電力制御構成と前記第１の送信電力レベルとに少なくとも部分的に基づく、
前記第１の送信電力レベルに少なくとも部分的に基づいて前記第１のキャリア上で送信するための手段と、
前記第２の送信電力レベルに少なくとも部分的に基づいて前記第２のキャリア上で送信するための手段と
を備える、装置。
［Ｃ２０］
前記第１の送信電力レベルを選択するための前記手段が、
前記電力制御構成に少なくとも部分的に基づいて前記第１のキャリアのための送信電力レベルを低減するための手段
を備える、Ｃ１９に記載の装置。
［Ｃ２１］
前記第２のキャリアのための予約された電力レベルを識別するための手段、ここにおいて、前記第１のキャリアのための前記送信電力レベルを低減するための前記手段が、前記予約された電力レベルに少なくとも部分的に基づいて前記第１のキャリアのための前記送信電力レベルを低減するように動作可能である、
をさらに備える、Ｃ２０に記載の装置。
［Ｃ２２］
前記第２の送信電力レベルが、前記第１のキャリアのための前記送信電力レベルを低減することによって利用可能にされた電力を利用することに少なくとも部分的に基づいて選択される、Ｃ２１に記載の装置。
［Ｃ２３］
前記第１のキャリアのための前記送信電力レベルを低減するための手段は、
前記第１のＴＴＩの少なくとも１つの第２のシンボル期間中の前記第１のキャリアのための送信電力レベルとは異なる、前記第１のＴＴＩの少なくとも１つのシンボル期間中の前記第１のキャリアのための送信電力レベルを選択するための手段、ここにおいて、前記少なくとも１つのシンボル期間中の前記第１のキャリアのための前記送信電力レベルが、前記電力制御構成と、前記第２のＴＴＩ中の前記第２のキャリアのための前記送信電力レベルとに少なくとも部分的に基づく、
を備える、Ｃ２０に記載の装置。
［Ｃ２４］
送信における情報、情報レイヤ、信号タイプ、またはそれらの任意の組合せに少なくとも部分的に基づいて優先度付けルールのセットを識別するための手段、ここにおいて、前記電力制御構成が優先度付けルールの前記セットに少なくとも部分的に基づく、
をさらに備える、Ｃ１９に記載の装置。
［Ｃ２５］
優先度付けルールの前記セットが、１次セル（ＰＣｅｌｌ）に関してアップリンク制御情報（ＵＣＩ）を含んでいるシンボルに優先度付けするルール、物理アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、Ｃ２４に記載の装置。
［Ｃ２６］
前記第１のＴＴＩがロングタームエボリューション（ＬＴＥ）サブフレームであり、前記第２のＴＴＩがＬＴＥシンボル期間である、Ｃ１９に記載の装置。
［Ｃ２７］
前記電力制御構成が前記第２のキャリア上のトラフィックタイプまたはトラフィック量に少なくとも部分的に基づく、Ｃ１９に記載の装置。
［Ｃ２８］
ワイヤレス通信のための装置であって、
第１の送信時間間隔（ＴＴＩ）長さをもつ第１のキャリアと、前記第１のＴＴＩ長さとは異なる第２のＴＴＩ長さをもつ第２のキャリアと、電力ヘッドルーム報告構成とを備えるキャリアアグリゲーション構成を決定するための手段と、
前記第２のキャリアのための電力レベルを識別するための手段と、
前記識別された電力レベルと前記電力ヘッドルーム報告構成とに少なくとも部分的に基づいて前記第２のキャリアのための電力ヘッドルーム報告を送信するための手段と
を備える、装置。
［Ｃ２９］
前記識別された電力レベルが仮想電力レベルである、Ｃ２８に記載の装置。
［Ｃ３０］
前記識別された電力レベルが前記第２のキャリアのためのアップリンク（ＵＬ）許可に少なくとも部分的に基づく、Ｃ２８に記載の装置。
［Ｃ３１］
前記電力ヘッドルーム報告構成の複数の電力ヘッドルームフォーマットから電力ヘッドルーム報告フォーマットを選択するための手段、ここにおいて、前記電力ヘッドルーム報告が前記電力ヘッドルームフォーマットに少なくとも部分的に基づいて送信される、
をさらに備える、Ｃ２８に記載の装置。
［Ｃ３２］
前記複数の電力ヘッドルームフォーマットが、仮想電力レベルに少なくとも部分的に基づく少なくとも１つの第１のフォーマットと、アップリンク（ＵＬ）許可に少なくとも部分的に基づく少なくとも１つの第２のフォーマットとを備える、Ｃ３１に記載の装置。
［Ｃ３３］
ワイヤレス通信のための装置であって、
第１の送信時間間隔（ＴＴＩ）長さをもつ第１のキャリアと、前記第１のＴＴＩ長さとは異なる第２のＴＴＩ長さをもつ第２のキャリアとを備えるワイヤレスデバイスのためのキャリアアグリゲーション構成を決定するための手段と、
前記第１のキャリアと前記第２のキャリアとに少なくとも部分的に基づいて前記ワイヤレスデバイスのための電力制御構成を決定するための手段と、
送信における情報、情報レイヤ、信号タイプ、またはそれらの任意の組合せに少なくとも部分的に基づいて優先度付けルールのセットを決定するための手段と、ここにおいて、前記電力制御構成を決定することが、優先度付けルールの前記セットに少なくとも部分的に基づく、
優先度付けルールの前記セットに少なくとも部分的に基づいて前記ワイヤレスデバイスのための送信をスケジュールするための手段と
を備える、装置。
［Ｃ３４］
優先度付けルールの前記セットが、１次セル（ＰＣｅｌｌ）に関してアップリンク制御情報（ＵＣＩ）を含んでいるシンボルに優先度付けするルール、１次アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、Ｃ３３に記載の装置。
［Ｃ３５］
前記電力制御構成が前記第２のキャリア上のトラフィックタイプまたはトラフィック量に少なくとも部分的に基づく、Ｃ３３に記載の装置。
［Ｃ３６］
ワイヤレス通信のための装置であって、
第１の送信時間間隔（ＴＴＩ）長さをもつ第１のキャリアと、前記第１のＴＴＩ長さとは異なる第２のＴＴＩ長さをもつ第２のキャリアとを備えるキャリアアグリゲーション構成を決定するための手段と、
仮想電力レベルに少なくとも部分的に基づく少なくとも１つの第１のフォーマット、アップリンク（ＵＬ）許可に少なくとも部分的に基づく少なくとも１つの第２のフォーマット、または両方を備える電力ヘッドルーム報告構成でワイヤレスデバイスを構成するための手段と、
前記電力ヘッドルーム報告構成に少なくとも部分的に基づいて電力ヘッドルーム報告を受信するための手段と
を備える、装置。
［Ｃ３７］
ワイヤレス通信のための装置であって、
プロセッサと、
前記プロセッサと電子通信しているメモリと、
前記メモリに記憶された命令とを備え、前記命令は、前記プロセッサによって実行されたとき、
第１の送信時間間隔（ＴＴＩ）長さをもつ第１のキャリアと、前記第１のＴＴＩ長さとは異なる第２のＴＴＩ長さをもつ第２のキャリアと、電力制御構成とを備えるキャリアアグリゲーション構成を受信することと、
前記第１のＴＴＩ長さの第１のＴＴＩ中の前記第１のキャリアのための第１の送信電力レベルを選択することと、
前記第２のＴＴＩ長さの第２のＴＴＩ中の前記第２のキャリアのための第２の送信電力レベルを選択することと、ここにおいて、前記第１のＴＴＩが前記第２のＴＴＩと重複し、前記第２の送信電力レベルが前記電力制御構成と前記第１の送信電力レベルとに少なくとも部分的に基づく、
前記第１の送信電力レベルに少なくとも部分的に基づいて前記第１のキャリア上で送信することと、
前記第２の送信電力レベルに少なくとも部分的に基づいて前記第２のキャリア上で送信することと
を前記装置に行わせるように動作可能である、装置。
［Ｃ３８］
前記命令が、
前記電力制御構成に少なくとも部分的に基づいて前記第１のキャリアのための送信電力レベルを低減すること
を前記装置に行わせるように動作可能である、Ｃ３７に記載の装置。
［Ｃ３９］
前記命令は、
前記第２のキャリアのための予約された電力レベルを識別すること、ここにおいて、前記第１のキャリアのための前記送信電力レベルを低減することが、前記予約された電力レベルに少なくとも部分的に基づく、
を前記装置に行わせるように動作可能である、Ｃ３８に記載の装置。
［Ｃ４０］
前記第２の送信電力レベルが、前記第１のキャリアのための前記送信電力レベルを低減することによって利用可能にされた電力を利用することに少なくとも部分的に基づいて選択される、Ｃ３９に記載の装置。
［Ｃ４１］
前記命令は、
前記第１のＴＴＩの少なくとも１つの第２のシンボル期間中の前記第１のキャリアのための送信電力レベルとは異なる、前記第１のＴＴＩの少なくとも１つのシンボル期間中の前記第１のキャリアのための送信電力レベルを選択すること、ここにおいて、前記少なくとも１つのシンボル期間中の前記第１のキャリアのための前記送信電力レベルが、前記電力制御構成と、前記第２のＴＴＩ中の前記第２のキャリアのための前記送信電力レベルとに少なくとも部分的に基づく、
を前記装置に行わせるように動作可能である、Ｃ３８に記載の装置。
［Ｃ４２］
前記命令は、
送信における情報、情報レイヤ、信号タイプ、またはそれらの任意の組合せに少なくとも部分的に基づいて優先度付けルールのセットを識別すること、ここにおいて、前記電力制御構成が優先度付けルールの前記セットに少なくとも部分的に基づく、
を前記装置に行わせるように動作可能である、Ｃ３７に記載の装置。
［Ｃ４３］
優先度付けルールの前記セットが、１次セル（ＰＣｅｌｌ）に関してアップリンク制御情報（ＵＣＩ）を含んでいるシンボルに優先度付けするルール、物理アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、Ｃ４２に記載の装置。
［Ｃ４４］
前記第１のＴＴＩがロングタームエボリューション（ＬＴＥ）サブフレームであり、前記第２のＴＴＩがＬＴＥシンボル期間である、Ｃ３７に記載の装置。
［Ｃ４５］
前記電力制御構成が前記第２のキャリア上のトラフィックタイプまたはトラフィック量に少なくとも部分的に基づく、Ｃ３７に記載の装置。
［Ｃ４６］
ワイヤレス通信のための装置であって、
プロセッサと、
前記プロセッサと電子通信しているメモリと、
前記メモリに記憶された命令とを備え、前記命令は、前記プロセッサによって実行されたとき、
第１の送信時間間隔（ＴＴＩ）長さをもつ第１のキャリアと、前記第１のＴＴＩ長さとは異なる第２のＴＴＩ長さをもつ第２のキャリアと、電力ヘッドルーム報告構成とを備えるキャリアアグリゲーション構成を受信することと、
前記第２のキャリアのための電力レベルを識別することと、
前記識別された電力レベルと前記電力ヘッドルーム報告構成とに少なくとも部分的に基づいて前記第２のキャリアのための電力ヘッドルーム報告を送信することと
を前記装置に行わせるように動作可能である、装置。
［Ｃ４７］
前記識別された電力レベルが仮想電力レベルである、Ｃ４６に記載の装置。
［Ｃ４８］
前記識別された電力レベルが前記第２のキャリアのためのアップリンク（ＵＬ）許可に少なくとも部分的に基づく、Ｃ４６に記載の装置。
［Ｃ４９］
前記命令は、
前記電力ヘッドルーム報告構成の複数の電力ヘッドルームフォーマットから電力ヘッドルーム報告フォーマットを選択すること、ここにおいて、前記電力ヘッドルーム報告が前記電力ヘッドルームフォーマットに少なくとも部分的に基づいて送信される、
を前記装置に行わせるように動作可能である、Ｃ４６に記載の装置。
［Ｃ５０］
前記複数の電力ヘッドルームフォーマットが、仮想電力レベルに少なくとも部分的に基づく少なくとも１つの第１のフォーマットと、アップリンク（ＵＬ）許可に少なくとも部分的に基づく少なくとも１つの第２のフォーマットとを備える、Ｃ４９に記載の装置。
［Ｃ５１］
ワイヤレス通信のための装置であって、
プロセッサと、
前記プロセッサと電子通信しているメモリと、
前記メモリに記憶された命令とを備え、前記命令は、前記プロセッサによって実行されたとき、
第１の送信時間間隔（ＴＴＩ）長さをもつ第１のキャリアと、前記第１のＴＴＩ長さとは異なる第２のＴＴＩ長さをもつ第２のキャリアとを備えるワイヤレスデバイスのためのキャリアアグリゲーション構成を決定することと、
前記第１のキャリアと前記第２のキャリアとに少なくとも部分的に基づいて前記ワイヤレスデバイスのための電力制御構成を決定することと、
送信における情報、情報レイヤ、信号タイプ、またはそれらの任意の組合せに少なくとも部分的に基づいて優先度付けルールのセットを決定することと、ここにおいて、前記電力制御構成を決定することが、優先度付けルールの前記セットに少なくとも部分的に基づく、
優先度付けルールの前記セットに少なくとも部分的に基づいて前記ワイヤレスデバイスのための送信をスケジュールすることと
を前記装置に行わせるように動作可能である、装置。
［Ｃ５２］
優先度付けルールの前記セットが、１次セル（ＰＣｅｌｌ）に関してアップリンク制御情報（ＵＣＩ）を含んでいるシンボルに優先度付けするルール、１次アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、Ｃ５１に記載の装置。
［Ｃ５３］
前記電力制御構成が前記第２のキャリア上のトラフィックタイプまたはトラフィック量に少なくとも部分的に基づく、Ｃ５１に記載の装置。
［Ｃ５４］
ワイヤレス通信のための装置であって、
プロセッサと、
前記プロセッサと電子通信しているメモリと、
前記メモリに記憶された命令とを備え、前記命令は、前記プロセッサによって実行されたとき、
第１の送信時間間隔（ＴＴＩ）長さをもつ第１のキャリアと、前記第１のＴＴＩ長さとは異なる第２のＴＴＩ長さをもつ第２のキャリアとを備えるキャリアアグリゲーション構成を決定することと、
仮想電力レベルに少なくとも部分的に基づく少なくとも１つの第１のフォーマット、アップリンク（ＵＬ）許可に少なくとも部分的に基づく少なくとも１つの第２のフォーマット、または両方を備える電力ヘッドルーム報告構成でワイヤレスデバイスを構成することと、
前記電力ヘッドルーム報告構成に少なくとも部分的に基づいて電力ヘッドルーム報告を受信することと
を前記装置に行わせるように動作可能である、装置。
［Ｃ５５］
ワイヤレス通信のためのコードを記憶した非一時的コンピュータ可読媒体であって、前記コードは、
第１の送信時間間隔（ＴＴＩ）長さをもつ第１のキャリアと、前記第１のＴＴＩ長さとは異なる第２のＴＴＩ長さをもつ第２のキャリアと、電力制御構成とを備えるキャリアアグリゲーション構成を決定することと、
前記第１のＴＴＩ長さの第１のＴＴＩ中の前記第１のキャリアのための第１の送信電力レベルを選択することと、
前記第２のＴＴＩ長さの第２のＴＴＩ中の前記第２のキャリアのための第２の送信電力レベルを選択することと、ここにおいて、前記第１のＴＴＩが前記第２のＴＴＩと重複し、前記第２の送信電力レベルが前記電力制御構成と前記第１の送信電力レベルとに少なくとも部分的に基づく、
前記第１の送信電力レベルに少なくとも部分的に基づいて前記第１のキャリア上で送信することと、
前記第２の送信電力レベルに少なくとも部分的に基づいて前記第２のキャリア上で送信することと
を行うように実行可能な命令を備える、非一時的コンピュータ可読媒体。
［Ｃ５６］
前記命令が、
前記電力制御構成に少なくとも部分的に基づいて前記第１のキャリアのための送信電力レベルを低減する
ように実行可能である、Ｃ５５に記載の非一時的コンピュータ可読媒体。
［Ｃ５７］
前記命令は、
前記第２のキャリアのための予約された電力レベルを識別すること、ここにおいて、前記第１のキャリアのための前記送信電力レベルを低減することが、前記予約された電力レベルに少なくとも部分的に基づく、
を行うように実行可能である、Ｃ５６に記載の非一時的コンピュータ可読媒体。
［Ｃ５８］
前記第２の送信電力レベルが、前記第１のキャリアのための前記送信電力レベルを低減することによって利用可能にされた電力を利用することに少なくとも部分的に基づいて選択される、Ｃ５７に記載の非一時的コンピュータ可読媒体。
［Ｃ５９］
前記命令は、
前記第１のＴＴＩの少なくとも１つの第２のシンボル期間中の前記第１のキャリアのための送信電力レベルとは異なる、前記第１のＴＴＩの少なくとも１つのシンボル期間中の前記第１のキャリアのための送信電力レベルを選択すること、ここにおいて、前記少なくとも１つのシンボル期間中の前記第１のキャリアのための前記送信電力レベルが、前記電力制御構成と、前記第２のＴＴＩ中の前記第２のキャリアのための前記送信電力レベルとに少なくとも部分的に基づく、
を行うように実行可能である、Ｃ５６に記載の非一時的コンピュータ可読媒体。
［Ｃ６０］
前記命令は、
送信における情報、情報レイヤ、信号タイプ、またはそれらの任意の組合せに少なくとも部分的に基づいて優先度付けルールのセットを識別すること、ここにおいて、前記電力制御構成が優先度付けルールの前記セットに少なくとも部分的に基づく、
を行うように実行可能である、Ｃ５５に記載の非一時的コンピュータ可読媒体。
［Ｃ６１］
優先度付けルールの前記セットが、１次セル（ＰＣｅｌｌ）に関してアップリンク制御情報（ＵＣＩ）を含んでいるシンボルに優先度付けするルール、物理アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、Ｃ６０に記載の非一時的コンピュータ可読媒体。
［Ｃ６２］
前記第１のＴＴＩがロングタームエボリューション（ＬＴＥ）サブフレームであり、前記第２のＴＴＩがＬＴＥシンボル期間である、Ｃ５５に記載の非一時的コンピュータ可読媒体。
［Ｃ６３］
前記電力制御構成が前記第２のキャリア上のトラフィックタイプまたはトラフィック量に少なくとも部分的に基づく、Ｃ５５に記載の非一時的コンピュータ可読媒体。
［Ｃ６４］
ワイヤレス通信のためのコードを記憶した非一時的コンピュータ可読媒体であって、前記コードは、
第１の送信時間間隔（ＴＴＩ）長さをもつ第１のキャリアと、前記第１のＴＴＩ長さとは異なる第２のＴＴＩ長さをもつ第２のキャリアと、電力ヘッドルーム報告構成とを備えるキャリアアグリゲーション構成を決定することと、
前記第２のキャリアのための電力レベルを識別することと、
前記識別された電力レベルと前記電力ヘッドルーム報告構成とに少なくとも部分的に基づいて前記第２のキャリアのための電力ヘッドルーム報告を送信することと
を行うように実行可能な命令を備える、非一時的コンピュータ可読媒体。
［Ｃ６５］
前記識別された電力レベルが仮想電力レベルである、Ｃ６４に記載の非一時的コンピュータ可読媒体。
［Ｃ６６］
前記識別された電力レベルが前記第２のキャリアのためのアップリンク（ＵＬ）許可に少なくとも部分的に基づく、Ｃ６４に記載の非一時的コンピュータ可読媒体。
［Ｃ６７］
前記命令は、
前記電力ヘッドルーム報告構成の複数の電力ヘッドルームフォーマットから電力ヘッドルーム報告フォーマットを選択すること、ここにおいて、前記電力ヘッドルーム報告が前記電力ヘッドルームフォーマットに少なくとも部分的に基づいて送信される、
を行うように実行可能である、Ｃ６４に記載の非一時的コンピュータ可読媒体。
［Ｃ６８］
前記複数の電力ヘッドルームフォーマットが、仮想電力レベルに少なくとも部分的に基づく少なくとも１つの第１のフォーマットと、アップリンク（ＵＬ）許可に少なくとも部分的に基づく少なくとも１つの第２のフォーマットとを備える、Ｃ６７に記載の非一時的コンピュータ可読媒体。
［Ｃ６９］
ワイヤレス通信のためのコードを記憶した非一時的コンピュータ可読媒体であって、前記コードは、
第１の送信時間間隔（ＴＴＩ）長さをもつ第１のキャリアと、前記第１のＴＴＩ長さとは異なる第２のＴＴＩ長さをもつ第２のキャリアとを備えるワイヤレスデバイスのためのキャリアアグリゲーション構成を決定することと、
前記第１のキャリアと前記第２のキャリアとに少なくとも部分的に基づいて前記ワイヤレスデバイスのための電力制御構成を決定することと、
送信における情報、情報レイヤ、信号タイプ、またはそれらの任意の組合せに少なくとも部分的に基づいて優先度付けルールのセットを決定することと、ここにおいて、前記電力制御構成を決定することが、優先度付けルールの前記セットに少なくとも部分的に基づく、
優先度付けルールの前記セットに少なくとも部分的に基づいて前記ワイヤレスデバイスのための送信をスケジュールすることと
を行うように実行可能な命令を備える、非一時的コンピュータ可読媒体。
［Ｃ７０］
優先度付けルールの前記セットが、１次セル（ＰＣｅｌｌ）に関してアップリンク制御情報（ＵＣＩ）を含んでいるシンボルに優先度付けするルール、１次アップリンク共有チャネル（ＰＵＳＣＨ）拡張コンポーネントキャリア（ｅＣＣ）シンボルよりもＰＣｅｌｌ復調基準信号（ＤＭ−ＲＳ）送信に優先度付けするルール、またはＰＣｅｌｌサウンディング基準信号（ＳＲＳ）送信よりもｅＣＣ  ＰＵＳＣＨシンボルに優先度付けするルールを備える、Ｃ６９に記載の非一時的コンピュータ可読媒体。
［Ｃ７１］
前記電力制御構成が前記第２のキャリア上のトラフィックタイプまたはトラフィック量に少なくとも部分的に基づく、Ｃ６９に記載の非一時的コンピュータ可読媒体。
［Ｃ７２］
ワイヤレス通信のためのコードを記憶した非一時的コンピュータ可読媒体であって、前記コードは、
第１の送信時間間隔（ＴＴＩ）長さをもつ第１のキャリアと、前記第１のＴＴＩ長さとは異なる第２のＴＴＩ長さをもつ第２のキャリアとを備えるキャリアアグリゲーション構成を決定することと、
仮想電力レベルに少なくとも部分的に基づく少なくとも１つの第１のフォーマット、アップリンク（ＵＬ）許可に少なくとも部分的に基づく少なくとも１つの第２のフォーマット、または両方を備える電力ヘッドルーム報告構成でワイヤレスデバイスを構成することと、
前記電力ヘッドルーム報告構成に少なくとも部分的に基づいて電力ヘッドルーム報告を受信することと
を行うように実行可能な命令を備える、非一時的コンピュータ可読媒体。
【図１】
0006328858.tif 000002
【図２】
0006328858.tif 000003
【図３】
0006328858.tif 000004
【図４】
0006328858.tif 000005
【図５】
0006328858.tif 000006
【図６】
0006328858.tif 000007
【図７】
0006328858.tif 000008
【図８】
0006328858.tif 000009
【図９】
0006328858.tif 000010
【図１０】
0006328858.tif 000011
【図１１】
0006328858.tif 000012
【図１２】
0006328858.tif 000013
【図１３】
0006328858.tif 000014
【図１４】
0006328858.tif 000015
【図１５】
0006328858.tif 000016
【図１６】
0006328858.tif 000017
【図１７】
0006328858.tif 000018
【図１８】
0006328858.tif 000019